(57)【特許請求の範囲】
【請求項１】
事前定義された第１のダウンリンク制御チャネルリソースの集合の第１の周波数領域位置のプリセットされた情報および/または受信した基地局からの前記第１のダウンリンク制御チャネルリソースの集合の第２の周波数領域位置指示情報が含まれる第１の情報に基づいて、端末に対応するダウンリンク制御チャネルリソースの集合を決定するための第３の周波数領域位置を取得するステップと、
事前定義された前記第１のダウンリンク制御チャネルリソースの集合の第１の時間領域位置のプリセットされた情報または受信された基地局からの前記第１のダウンリンク制御チャネルリソースの集合の第２の時間領域位置指示情報が含まれる前記第１の情報に基づいて、前記端末に対応するダウンリンク制御チャネルリソースの集合を決定するための第３の時間領域位置を取得するステップと、
前記第３の周波数領域位置および前記第３の時間領域位置に基づいて、前記端末に対応するダウンリンク制御チャネルリソースの集合を第３のダウンリンク制御チャネルリソースの集合として決定するステップと、を備え、
前記第１の情報がマスター情報ブロック（ＭＩＢ）情報またはシステム情報ＳＩ情報である場合、前記第１のダウンリンク制御チャネルリソースの集合は、共通のダウンリンク制御チャネルの送信に用いられ、および/または前記第１のダウンリンク制御チャネルリソースの集合は、端末がモバイル通信ネットワークに初めてアクセスするときに、端末固有のダウンリンク制御チャネルの送信に用いられ、
前記第１の情報が上位層シグナリングである場合、前記第１のダウンリンク制御チャネルリソースの集合は、端末固有のダウンリンク制御チャネルの送信に用いられることを特徴とする端末に適用される、ダウンリンク制御チャネルリソースの集合を決定するための方法。
【請求項２】
前記第１の情報がマスター情報ブロック（ＭＩＢ）情報またはシステム情報ＳＩ情報である場合、
前記第１の周波数領域位置のプリセットされた情報が物理ブロードキャストチャネル（ＰＢＣＨ）および/またはプライマリ同期信号（ＰＳＳ）および/またはセカンダリ同期信号（ＳＳＳ）に占有された第４の周波数領域位置であると、前記事前定義された第１のダウンリンク制御チャネルリソースの集合の第１の周波数領域位置のプリセットされた情報に基づいて、前記端末に対応するダウンリンク制御チャネルリソースの集合を決定するための第３の周波数領域位置を取得する場合、
前記第４の周波数領域位置に基づいて、前記端末に対応するダウンリンク制御チャネルリソースの集合を決定するための第３の周波数領域位置を取得することを特徴とする請求項２に記載の端末に適用される、ダウンリンク制御チャネルリソースの集合を決定し、
または、
前記第１の周波数領域位置のプリセットされた情報がＰＢＣＨおよび/またはＰＳＳおよび/またはＳＳＳに占有された第４の周波数領域位置から第１のプリセットされたオフセット値の分をシフトすることを示す指示情報であると、前記事前定義された第１のダウンリンク制御チャネルリソースの集合の第１の周波数領域位置のプリセットされた情報に基づいて、前記端末に対応するダウンリンク制御チャネルリソースの集合を決定するための第３の周波数領域位置を取得する場合、
前記第４の周波数領域位置および前記第１のプリセットされたオフセット値に基づいて、前記端末に対応するダウンリンク制御チャネルリソースの集合を決定するための第３の周波数領域位置を取得することを特徴とする請求項１に記載の端末に適用される、ダウンリンク制御チャネルリソースの集合を決定するための方法。
【請求項３】
前記第１の情報がマスター情報ブロック（ＭＩＢ）情報またはシステム情報ＳＩ情報である場合、
前記第１の周波数領域位置のプリセットされた情報がＰＢＣＨおよび/またはＰＳＳおよび/またはＳＳＳに占有された第４の周波数領域位置であると、前記事前定義された第１のダウンリンク制御チャネルリソースの集合の第１の周波数領域位置のプリセットされた情報に基づき、および受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得する場合、
受信した基地局からの前記第１のダウンリンク制御チャネルリソースの集合の第２の周波数領域位置指示情報が含まれる第１の情報に基づいて、前記第２の周波数領域位置指示情報を取得し、前記第２の周波数領域位置指示情報は、前記第４の周波数領域位置から第２のオフセット値の分をシフトすることを示す指示情報であり、
前記第４の周波数領域位置および前記第２のオフセット値に基づいて、前記端末に対応するダウンリンク制御チャネルリソースの集合を決定するための第３の周波数領域位置を取得することを特徴とする請求項１に記載の端末に適用される、ダウンリンク制御チャネルリソースの集合を決定するための方法。
【請求項４】
前記第１の情報がマスター情報ブロック（ＭＩＢ）情報またはシステム情報ＳＩ情報である場合、
前記受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得する場合、
受信した基地局からの前記第１のダウンリンク制御チャネルリソースの集合の第２の周波数領域位置指示情報が含まれる第１の情報に基づいて、前記第２の周波数領域位置指示情報を取得し、前記第２の周波数領域位置指示情報は、前記端末に対応するダウンリンク制御チャネルリソースの集合の周波数領域位置を示す指示情報であり、
前記第２の周波数領域位置指示情報に基づいて、前記端末に対応するダウンリンク制御チャネルリソースの集合を決定するための第３の周波数領域位置を取得することを特徴とする請求項１に記載の端末に適用される、ダウンリンク制御チャネルリソースの集合を決定するための方法。
【請求項５】
前記第１の情報がマスター情報ブロック（ＭＩＢ）情報またはシステム情報ＳＩ情報である場合、
前記受信された基地局からの前記第１のダウンリンク制御チャネルリソースの集合の第２の時間領域位置指示情報が含まれる前記第１の情報に基づいて、前記端末に対応するダウンリンク制御チャネルリソースの集合を決定するための第３の時間領域位置を取得する場合、
受信された基地局からの前記第１のダウンリンク制御チャネルリソースの集合の第２の時間領域位置指示情報が含まれる前記第１の情報に基づいて、前記第２の時間領域位置指示情報を取得し、前記第２の時間領域位置指示情報は、前記端末に対応するダウンリンク制御チャネルリソースの集合の時間領域位置を示す指示情報であり、
前記第２の時間領域位置指示情報に基づいて、前記端末に対応するダウンリンク制御チャネルリソースの集合を決定するための第３の時間領域位置を取得することを特徴とする請求項１に記載の端末に適用される、ダウンリンク制御チャネルリソースの集合を決定するための方法。
【請求項６】
前記第１の情報がマスター情報ブロック（ＭＩＢ）情報またはシステム情報ＳＩ情報である場合、
前記事前定義された第１のダウンリンク制御チャネルリソースの集合の第１の時間領域位置のプリセットされた情報に基づいて、前記端末に対応するダウンリンク制御チャネルリソースの集合を決定するための第３の時間領域位置を取得する場合、
事前定義された第１のダウンリンク制御チャネルリソースの集合の第１の時間領域位置のプリセットされたサイズおよび第１の時間領域位置のプリセットされた開始位置に基づいて、前記端末に対応するダウンリンク制御チャネルリソースの集合を決定するための第３の時間領域位置を取得することを特徴とする請求項１に記載の端末に適用される、ダウンリンク制御チャネルリソースの集合を決定するための方法。
【請求項７】
前記第１の情報が上位層シグナリングである場合、
前記事前定義された第１のダウンリンク制御チャネルリソースの集合の第１の周波数領域位置のプリセットされた情報に基づいて、前記端末に対応するダウンリンク制御チャネルリソースの集合を決定するための第３の周波数領域位置を取得する場合、
事前定義された第１のダウンリンク制御チャネルリソースの集合の第１の周波数領域位置のプリセットされたサイズおよび第１の周波数領域位置のプリセットされた開始位置に基づいて、前記端末に対応するダウンリンク制御チャネルリソースの集合を決定するための第３の周波数領域位置を取得することを特徴とする請求項１に記載の端末に適用される、ダウンリンク制御チャネルリソースの集合を決定するための方法。
【請求項８】
前記第１の情報が上位層シグナリングである場合、
前記受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得する場合、
受信した基地局からの前記第１のダウンリンク制御チャネルリソースの集合の第２の周波数領域位置指示情報が含まれる前記第１の情報に基づいて、第２の周波数領域位置指示情報を取得し、前記第２の周波数領域位置指示情報は、前記端末に対応するダウンリンク制御チャネルリソースの集合の周波数領域位置を示す指示情報であり、
前記第２の周波数領域位置指示情報に基づいて、前記端末に対応するダウンリンク制御チャネルリソースの集合を決定するための第３の周波数領域位置を取得することを特徴とする請求項１に記載の端末に適用される、ダウンリンク制御チャネルリソースの集合を決定するための方法。
【請求項９】
前記第１の情報が上位層シグナリングである場合、
前記第１の周波数領域位置のプリセットされた情報が第１の周波数領域位置のプリセットされた開始位置であると、前記事前定義された前記第１のダウンリンク制御チャネルリソースの集合の第１の周波数領域位置のプリセットされた情報に基づき、および受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得する場合、
受信した基地局からの前記第１のダウンリンク制御チャネルリソースの集合の第２の周波数領域位置指示情報が含まれる前記第１の情報に基づいて、前記第２の周波数領域位置指示情報を取得し、前記第２の周波数領域位置指示情報は、前記第１のダウンリンク制御チャネルリソースの集合に占有された周波数領域位置のサイズを示し、
前記第１の周波数領域位置のプリセットされた開始位置および前記第１のダウンリンク制御チャネルリソースの集合に占有された周波数領域位置のサイズに基づいて、前記端末に対応するダウンリンク制御チャネルリソースの集合を決定するための第３の周波数領域位置を取得することを特徴とする請求項８に記載の端末に適用される、ダウンリンク制御チャネルリソースの集合を決定するための方法。
【請求項１０】
前記第１の情報が上位層シグナリングである場合、
前記事前定義された前記第１のダウンリンク制御チャネルリソースの集合の第１の時間領域位置のプリセットされた情報に基づいて、前記端末に対応するダウンリンク制御チャネルリソースの集合を決定するための第３の時間領域位置を取得する場合、
事前定義された第１のダウンリンク制御チャネルリソースの集合の第１の時間領域位置のプリセットされたサイズおよび第１の時間領域位置のプリセットされた開始位置に基づいて、前記端末に対応するダウンリンク制御チャネルリソースの集合を決定するための第３の時間領域位置を取得することを特徴とする請求項１に記載の端末に適用される、ダウンリンク制御チャネルリソースの集合を決定するための方法。
【請求項１１】
前記第１の情報が上位層シグナリングである場合、
前記受信された基地局からの前記第１のダウンリンク制御チャネルリソースの集合の第２の時間領域位置指示情報が含まれる前記第１の情報に基づいて、前記端末に対応するダウンリンク制御チャネルリソースの集合を決定するための第３の時間領域位置を取得する場合、
受信された基地局からの前記第１のダウンリンク制御チャネルリソースの集合の第２の時間領域位置指示情報が含まれる前記第１の情報に基づいて、前記第２の時間領域位置指示情報を取得し、前記第２の時間領域位置指示情報は、前記端末に対応するダウンリンク制御チャネルリソースの集合の時間領域位置を示す指示情報であり、
前記第２の時間領域位置指示情報に基づいて、前記端末に対応するダウンリンク制御チャネルリソースの集合を決定するための第３の時間領域位置を取得することを特徴とする請求項１に記載の端末に適用される、ダウンリンク制御チャネルリソースの集合を決定するための方法。
【請求項１２】
基地局は、端末に、第１の情報に基づいて、前記端末に対応するダウンリンク制御チャネルリソースの集合の第３の周波数領域位置を決定するための第２の周波数領域位置指示情報を取得するように、第１のダウンリンク制御チャネルリソースの集合の第２の周波数領域位置指示情報が含まれる第１の情報を端末に送信するステップと、
および/または、前記基地局は、前記端末に、前記第１の情報に基づいて、前記端末に対応するダウンリンク制御チャネルリソースの集合の第３の時間領域位置を決定するための第２の時間領域位置指示情報を取得するように、前記第１のダウンリンク制御チャネルリソースの集合の第２の時間領域位置指示情報が含まれる前記第１の情報を端末に送信するステップとを備え、
前記第１の情報がマスター情報ブロック（ＭＩＢ）情報またはシステム情報ＳＩ情報である場合、前記第１のダウンリンク制御チャネルリソースの集合は、共通のダウンリンク制御チャネルの送信に用いられ、および/または前記第１のダウンリンク制御チャネルリソースの集合は、端末がモバイル通信ネットワークに初めてアクセスするときに、端末固有のダウンリンク制御チャネルの送信に用いられ、
前記第１の情報が上位層シグナリングである場合、前記第１のダウンリンク制御チャネルリソースの集合は、端末固有のダウンリンク制御チャネルの送信に用いられることを特徴とする基地局に適用される、ダウンリンク制御チャネルリソースの集合のリソース位置情報を送信するための方法。
【請求項１３】
前記第１の情報がマスター情報ブロック（ＭＩＢ）情報またはシステム情報ＳＩ情報である場合、
前記第１の情報は、ＭＩＢ情報またはＳＩ情報であり、
前記第１のダウンリンク制御チャネルリソースの集合は、共通のダウンリンク制御チャネルリソースの集合の送信に用いられ、および/または前記第１のダウンリンク制御チャネルリソースの集合は、端末がモバイル通信ネットワークに初めてアクセスするときに、端末固有のダウンリンク制御チャネルリソースの集合の送信に用いられ、
前記第２の周波数領域位置指示情報は、前記第２の周波数領域位置の周波数領域位置を直接に示し、
または、前記端末に対応する第１のプリセットされた周波数領域位置が事前定義されると、前記第２の周波数領域位置指示情報は、前記第２の周波数領域位置が、前記第１のプリセットされた周波数領域位置から第１のプリセットされたオフセット値の分にシフトされた後の周波数領域位置であることを示し、
前記第２の時間領域位置指示情報は、前記第２の時間領域位置の周波数領域位置を直接に示すことを特徴とする請求項１２に記載の基地局に適用される、ダウンリンク制御チャネルリソースの集合のリソース位置情報を送信するための方法。
【請求項１４】
事前定義された第１のダウンリンク制御チャネルリソースの集合の第１の周波数領域位置のプリセットされた情報および/または受信した基地局からの前記第１のダウンリンク制御チャネルリソースの集合の第２の周波数領域位置指示情報が含まれる第１の情報に基づいて、端末に対応するダウンリンク制御チャネルリソースの集合を決定するための第３の周波数領域位置を取得するための、第１の取得モジュールと、
事前定義された前記第１のダウンリンク制御チャネルリソースの集合の第１の時間領域位置のプリセットされた情報または受信された基地局からの前記第１のダウンリンク制御チャネルリソースの集合の第２の時間領域位置指示情報が含まれる前記第１の情報に基づいて、前記端末に対応するダウンリンク制御チャネルリソースの集合を決定するための第３の時間領域位置を取得するための、第２の取得モジュールと、
前記第３の周波数領域位置および前記第３の時間領域位置に基づいて、前記端末に対応するダウンリンク制御チャネルリソースの集合を第３のダウンリンク制御チャネルリソースの集合として決定するための、第１の決定モジュールと、を備え、
前記第１の情報がマスター情報ブロック（ＭＩＢ）情報またはシステム情報ＳＩ情報である場合、前記第１のダウンリンク制御チャネルリソースの集合は、共通のダウンリンク制御チャネルの送信に用いられ、および/または前記第１のダウンリンク制御チャネルリソースの集合は、端末がモバイル通信ネットワークに初めてアクセスするときに、端末固有のダウンリンク制御チャネルの送信に用いられ、
前記第１の情報が上位層シグナリングである場合、前記第１のダウンリンク制御チャネルリソースの集合は、端末固有のダウンリンク制御チャネルの送信に用いられることを特徴とする端末。
【請求項１５】
端末に、第１の情報に基づいて、前記端末に対応するダウンリンク制御チャネルリソースの集合の第２の周波数領域位置を決定するための第２の周波数領域位置指示情報を取得するように、第１のダウンリンク制御チャネルリソースの集合の第２の周波数領域位置指示情報が含まれる第１の情報を端末に送信するための、第１の送信モジュールと、
および/または、前記端末に、前記第１の情報に基づいて、前記端末に対応するダウンリンク制御チャネルリソースの集合の第２の時間領域位置を決定するための第２の時間領域位置指示情報を取得するように、前記第１のダウンリンク制御チャネルリソースの集合の第２の時間領域位置指示情報が含まれる前記第１の情報を端末に送信するための、前記第１の送信モジュールと、を備え、
前記第１の情報がマスター情報ブロック（ＭＩＢ）情報またはシステム情報ＳＩ情報である場合、前記第１のダウンリンク制御チャネルリソースの集合は、共通のダウンリンク制御チャネルの送信に用いられ、および/または前記第１のダウンリンク制御チャネルリソースの集合は、端末がモバイル通信ネットワークに初めてアクセスするときに、端末固有のダウンリンク制御チャネルの送信に用いられ、
前記第１の情報が上位層シグナリングである場合、前記第１のダウンリンク制御チャネルリソースの集合は、端末固有のダウンリンク制御チャネルの送信に用いられることを特徴とする基地局。
【発明の詳細な説明】
【技術分野】
【０００１】
関連出願の相互参照
本出願は、２０１７年３月２４日に中国特許局に提出し、出願番号が２０１７１０１８４４７６.９であり、発明名称が「ダウンリンクリソースの集合を決定するための方法とデバイス、およびリソース位置情報を送信するための方法とデバイス」との中国特許出願を基礎とする優先権を主張し、その開示の総てをここに取り込む。
【０００２】
本発明は、無線通信技術分野に関し、特に、ダウンリンクリソースの集合を決定するための方法とデバイス、およびリソース位置情報を送信するための方法とデバイスに関する。
【背景技術】
【０００３】
モバイルインターネットは、従来のモバイル通信サービスモードを覆し、その加入者に予期しない使用経験を提供し、私たちの仕事と生活のさまざまな側面に深く影響を与えている。移動体通信では、新しいサービスに対する需要がますます高まっているため、将来の移動体通信システムの高性能、たとえば、ピークレート、ユーザーエクスペリエンスレート、遅延、信頼性、スペクトル効率、より高いエネルギー消費効率などを要求する。また、より多くのアクセスするユーザ機器、およびさまざまなタイプのサービスをサポートする必要がある。端末は、複数の数の送信モード、さまざまなシナリオ、およびより多くのタイプのサービスを同時にサポートする必要がある場合がある。端末側の複雑さと消費電力を下げる必要がある。端末が送信帯域幅全体でダウンリンク制御チャネルをリッスンする必要がある場合、端末のエネルギー消費制御に大きな課題があり、端末側での遅延が増加する。さらに、リソースの利用率を改善し、将来のアプリケーションシナリオへの要求(例えば、周波数領域ＩＣＩＣ（ｉｎｔｅｒ−ｃｅｌｌ ｉｎｔｅｒｅｆｅｒｅｎｃｅ ｃｏｏｒｄｉｎａｔｉｏｎ，セル間干渉調整）)を満たすために、ダウンリンク制御チャネルの送信リソースをより柔軟に構成する必要がある。
【０００４】
スケジューリング情報および他の制御情報は、既存のロングタームエボリューション（ｌｏｎｇ Ｔｅｒｍ Ｅｖｏｌｕｔｉｏｎ，ＬＴＥ）ダウンリンク制御チャネルＰＤＣＣＨ（ｐｈｙｓｉｃａｌ ｄｏｗｎｌｉｎｋ ｃｏｎｔｒｏｌ ｃｈａｎｎｅｌ，物理ダウンリンク制御チャネル）で運ばれる。各ダウンリンクサブフレームの制御領域には複数のＰＤＣＣＨがあり、制御領域のサイズは、ＰＣＦＩＣＨ（Ｐｈｙｓｉｃａｌ Ｃｏｎｔｒｏｌ Ｆｏｒｍａｔ Ｉｎｄｉｃａｔｉｏｎ Ｃｈａｎｎｅｌ，物理制御フォーマット表示チャネル）によって決められ、１~４個のＯＦＤＭシンボルの範囲になる。制御チャネルは、１つ以上の連続した１つのＣＣＥ（ｃｏｎｔｒｏｌ ｃｈａｎｎｅｌ ｅｌｅｍｅｎｔ，制御チャネル要素）で送信される。各ＣＣＥには９つのＲＥＧ（ｒｅｓｏｕｒｃｅ ｅｌｅｍｅｎｔ ｇｒｏｕｐ，リソース要素グループ）が含まれ、ＰＤＣＣＨのＣＣＥに含まれるＲＥＧ（Ｒｅｓｏｕｒｃｅ Ｅｌｅｍｅｎｔ Ｇｒｏｕｐ，リソース要素グループ）は、ＰＣＦＩＣＨおよびＰＨＩＣＨ（Ｐｈｙｓｉｃａｌ ＨＡＲＱ Ｉｎｄｉｃａｔｉｏｎ Ｃｈａｎｎｅｌ，物理ＨＡＲＱ指示チャネル）の運びに用いられていないＲＥＧである。
【０００５】
基地局は、異なるＰＤＣＣＨ間で競合することなくＰＤＣＣＨにリソースを割り当てる必要がある。すなわち、１つまたはいくつかのＣＣＥがＰＤＣＣＨによって占有されている場合、当該ＣＣＥを他のＰＤＣＣＨにさらに割り当てらない。
【０００６】
既存のＬＴＥダウンリンク制御チャネルＥ−ＰＤＣＣＨ（Ｅｎｈａｎｃｅｄ−Ｐｈｙｓｉｃａｌ Ｄｏｗｎｌｉｎｋ Ｃｏｎｔｒｏｌ Ｃｈａｎｎｅｌ，エンハンスト物理ダウンリンク制御チャネル）は、ＰＤＣＣＨを送信するための空間以外のサブフレームのデータ領域で送信される。Ｅ−ＰＤＣＣＨのブラインド検出の数は、プロトコルで規定されているとおりに定義され、各シナリオで定義されたＥ−ＰＤＣＣＨ ｃａｎｄｉｄａｔｅ（候補）のテーブルが作成される。
【０００７】
既存のＬＴＥシステムでは、端末は、送信帯域幅全体または時間領域のサブフレーム全体にわたってダウンリンク制御チャネルをリッスンする必要がある。世代の無線通信システムの伝送帯域幅は、既存のＬＴＥシステムの伝送帯域幅よりもはるかに大きいと予想される。
【０００８】
先行技術には以下の技術的問題がある。
【０００９】
第１に、端末は、送信帯域幅全体にわたってその制御チャネルをリッスンするため、ダウンリンクリソースが浪費され、かなりの電力が消費され、周波数領域で干渉を抑制することができない。
【００１０】
第２に、既存の標準の会議で確認されたように、５Ｇシステムには、共通のＰＤＣＣＨ（ｃｏｍｍｏｎ ＰＤＣＣＨ）がダウンリンク制御チャネルリソースの一部を介して送信され、ＵＥ固有のＰＤＣＣＨ（ＵＥ ｓｐｅｃｉｆｉｃ ＰＤＣＣＨ）が他の部分を介して送信されるシナリオがある。しかし、これまでのところ、ダウンリンク制御チャネルリソースの集合の特定の時間および周波数位置を決定するための明確な解決策はない。
【発明の概要】
【発明が解決しようとする課題】
【００１１】
本発明の実施形態は、従来技術における上記の技術的問題に対処するために、ダウンリンクリソースの集合を決定するための方法とデバイス、およびリソース位置情報を送信するための方法とデバイスを提供する。
【課題を解決するための手段】
【００１２】
第１の態様によれば、本発明の実施形態による端末に適用される、ダウンリンク制御チャネルリソースの集合を決定するための方法は、
【００１３】
事前定義された第１のダウンリンク制御チャネルリソースの集合の第１の周波数領域位置のプリセットされた情報および/または受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得するステップと、
【００１４】
事前定義された前記第１のダウンリンク制御チャネルリソースの集合の第１の時間領域位置のプリセットされた情報または受信された基地局からの前記第１のダウンリンク制御チャネルリソースの集合の第２の時間領域位置指示情報が含まれる前記第１の情報に基づいて、前記端末に対応するダウンリンク制御チャネルリソースの集合を決定するための第３の時間領域位置を取得するステップと、
【００１５】
前記第３の周波数領域位置および前記第３の時間領域位置に基づいて、前記端末に対応するダウンリンク制御チャネルリソースの集合を第３のダウンリンク制御チャネルリソースの集合として決定するステップとを備える。
【００１６】
選択的に、前記第１の情報はＭＩＢ情報またはＳＩ情報であり、
前記第１のダウンリンク制御チャネルリソースの集合は、共通のダウンリンク制御チャネルの送信に用いられ、および/または前記第１のダウンリンク制御チャネルリソースの集合は、端末がモバイル通信ネットワークに初めてアクセスするときに、端末固有のダウンリンク制御チャネルの送信に用いられる。
【００１７】
選択的に、前記第１の周波数領域位置のプリセットされた情報がＰＢＣＨおよび/またはＰＳＳおよび/またはＳＳＳに占有された第４の周波数領域位置であると、前記事前定義された第１のダウンリンク制御チャネルリソースの集合の第１の周波数領域位置のプリセットされた情報に基づいて、前記端末に対応するダウンリンク制御チャネルリソースの集合を決定するための第３の周波数領域位置を取得する場合、
前記第４の周波数領域位置に基づいて、前記端末に対応するダウンリンク制御チャネルリソースの集合を決定するための第３の周波数領域位置を取得する。
【００１８】
選択的に、前記第１の周波数領域位置のプリセットされた情報がＰＢＣＨおよび/またはＰＳＳおよび/またはＳＳＳに占有された第４の周波数領域位置から第１のプリセットされたオフセット値の分をシフトすることを示す指示情報であると、前記事前定義された第１のダウンリンク制御チャネルリソースの集合の第１の周波数領域位置のプリセットされた情報に基づいて、前記端末に対応するダウンリンク制御チャネルリソースの集合を決定するための第３の周波数領域位置を取得する場合、
前記第４の周波数領域位置および前記第１のプリセットされたオフセット値に基づいて、前記端末に対応するダウンリンク制御チャネルリソースの集合を決定するための第３の周波数領域位置を取得する。
【００１９】
選択的に、前記第１の周波数領域位置のプリセットされた情報がＰＢＣＨおよび/またはＰＳＳおよび/またはＳＳＳに占有された第４の周波数領域位置であると、前記事前定義された第１のダウンリンク制御チャネルリソースの集合の第１の周波数領域位置のプリセットされた情報に基づき、および受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得する場合、
受信した基地局からの前記第１のダウンリンク制御チャネルリソースの集合の第２の周波数領域位置指示情報が含まれる第１の情報に基づいて、前記第２の周波数領域位置指示情報を取得し、前記第２の周波数領域位置指示情報は、前記第４の周波数領域位置から第２のオフセット値の分をシフトすることを示す指示情報であり、
前記第４の周波数領域位置および前記第２のオフセット値に基づいて、前記端末に対応するダウンリンク制御チャネルリソースの集合を決定するための第３の周波数領域位置を取得する。
【００２０】
選択的に、前記受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得する場合、
受信した基地局からの前記第１のダウンリンク制御チャネルリソースの集合の第２の周波数領域位置指示情報が含まれる第１の情報に基づいて、前記第２の周波数領域位置指示情報を取得し、前記第２の周波数領域位置指示情報は、前記端末に対応するダウンリンク制御チャネルリソースの集合の周波数領域位置を示す指示情報であり、
前記第２の周波数領域位置指示情報に基づいて、前記端末に対応するダウンリンク制御チャネルリソースの集合を決定するための第３の周波数領域位置を取得する。
【００２１】
選択的に、前記受信された基地局からの前記第１のダウンリンク制御チャネルリソースの集合の第２の時間領域位置指示情報が含まれる前記第１の情報に基づいて、前記端末に対応するダウンリンク制御チャネルリソースの集合を決定するための第３の時間領域位置を取得する場合、
受信された基地局からの前記第１のダウンリンク制御チャネルリソースの集合の第２の時間領域位置指示情報が含まれる前記第１の情報に基づいて、前記第２の時間領域位置指示情報を取得し、前記第２の時間領域位置指示情報は、前記端末に対応するダウンリンク制御チャネルリソースの集合の時間領域位置を示す指示情報であり、
前記第２の時間領域位置指示情報に基づいて、前記端末に対応するダウンリンク制御チャネルリソースの集合を決定するための第３の時間領域位置を取得する。
【００２２】
選択的に、前記事前定義された第１のダウンリンク制御チャネルリソースの集合の第１の時間領域位置のプリセットされた情報に基づいて、前記端末に対応するダウンリンク制御チャネルリソースの集合を決定するための第３の時間領域位置を取得する場合、
事前定義された第１のダウンリンク制御チャネルリソースの集合の第１の時間領域位置のプリセットされたサイズおよび第１の時間領域位置のプリセットされた開始位置に基づいて、前記端末に対応するダウンリンク制御チャネルリソースの集合を決定するための第３の時間領域位置を取得する。
【００２３】
選択的に、前記第１の情報は上位層シグナリングであり、
前記第１のダウンリンク制御チャネルリソースの集合は、端末固有のダウンリンク制御チャネルの送信に用いられる。
【００２４】
選択的に、前記事前定義された第１のダウンリンク制御チャネルリソースの集合の第１の周波数領域位置のプリセットされた情報に基づいて、前記端末に対応するダウンリンク制御チャネルリソースの集合を決定するための第３の周波数領域位置を取得する場合、
事前定義された第１のダウンリンク制御チャネルリソースの集合の第１の周波数領域位置のプリセットされたサイズおよび第１の周波数領域位置のプリセットされた開始位置に基づいて、前記端末に対応するダウンリンク制御チャネルリソースの集合を決定するための第３の周波数領域位置を取得する。
【００２５】
選択的に、前記受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得する場合、
受信した基地局からの前記第１のダウンリンク制御チャネルリソースの集合の第２の周波数領域位置指示情報が含まれる前記第１の情報に基づいて、第２の周波数領域位置指示情報を取得し、前記第２の周波数領域位置指示情報は、前記端末に対応するダウンリンク制御チャネルリソースの集合の周波数領域位置を示す指示情報であり、
前記第２の周波数領域位置指示情報に基づいて、前記端末に対応するダウンリンク制御チャネルリソースの集合を決定するための第３の周波数領域位置を取得する。
【００２６】
選択的に、前記第２の周波数領域位置指示情報は、前記端末に対応するダウンリンク制御チャネルリソースの集合の周波数領域位置を示す指示情報である場合、
前記第２の周波数領域位置指示情報は、前記端末に対応するダウンリンク制御チャネルリソースの集合の開始周波数領域位置および占有された周波数領域リソースサイズを示す指示情報であり、
または、前記第２の周波数領域位置指示情報は、前記端末に対応するダウンリンク制御チャネルリソースの集合に占有された周波数領域リソースエレメントに対応するエレメントインデックスまたは占有された周波数領域リソースのエレメントグループに対応するエレメントグループインデックスを示す指示情報である。
【００２７】
選択的に、前記第１の周波数領域位置のプリセットされた情報が第１の周波数領域位置のプリセットされた開始位置であると、前記事前定義された前記第１のダウンリンク制御チャネルリソースの集合の第１の周波数領域位置のプリセットされた情報に基づき、および受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得する場合、
受信した基地局からの前記第１のダウンリンク制御チャネルリソースの集合の第２の周波数領域位置指示情報が含まれる前記第１の情報に基づいて、前記第２の周波数領域位置指示情報を取得し、前記第２の周波数領域位置指示情報は、前記第１のダウンリンク制御チャネルリソースの集合に占有された周波数領域位置のサイズを示し、
前記第１の周波数領域位置のプリセットされた開始位置および前記第１のダウンリンク制御チャネルリソースの集合に占有された周波数領域位置のサイズに基づいて、前記端末に対応するダウンリンク制御チャネルリソースの集合を決定するための第３の周波数領域位置を取得する。
【００２８】
選択的に、前記事前定義された前記第１のダウンリンク制御チャネルリソースの集合の第１の時間領域位置のプリセットされた情報に基づいて、前記端末に対応するダウンリンク制御チャネルリソースの集合を決定するための第３の時間領域位置を取得する場合、
事前定義された第１のダウンリンク制御チャネルリソースの集合の第１の時間領域位置のプリセットされたサイズおよび第１の時間領域位置のプリセットされた開始位置に基づいて、前記端末に対応するダウンリンク制御チャネルリソースの集合を決定するための第３の時間領域位置を取得する。
【００２９】
選択的に、前記受信された基地局からの前記第１のダウンリンク制御チャネルリソースの集合の第２の時間領域位置指示情報が含まれる前記第１の情報に基づいて、前記端末に対応するダウンリンク制御チャネルリソースの集合を決定するための第３の時間領域位置を取得する場合、
受信された基地局からの前記第１のダウンリンク制御チャネルリソースの集合の第２の時間領域位置指示情報が含まれる前記第１の情報に基づいて、前記第２の時間領域位置指示情報を取得し、前記第２の時間領域位置指示情報は、前記端末に対応するダウンリンク制御チャネルリソースの集合の時間領域位置を示す指示情報であり、
前記第２の時間領域位置指示情報に基づいて、前記端末に対応するダウンリンク制御チャネルリソースの集合を決定するための第３の時間領域位置を取得する。
【００３０】
第２の態様によれば、本発明の実施形態による基地局に適用される、ダウンリンク制御チャネルリソースの集合のリソース位置情報を送信するための方法は、
【００３１】
前記基地局は、前記端末に、前記第１の情報に基づいて、前記端末に対応するダウンリンク制御チャネルリソースの集合の第３の周波数領域位置を決定するための第２の周波数領域位置指示情報を取得するように、第１のダウンリンク制御チャネルリソースの集合の第２の周波数領域位置指示情報が含まれる第１の情報を端末に送信するステップと、
【００３２】
および/または、前記基地局は、前記端末に、前記第１の情報に基づいて、前記端末に対応するダウンリンク制御チャネルリソースの集合の第３の時間領域位置を決定するための第２の時間領域位置指示情報を取得するように、前記第１のダウンリンク制御チャネルリソースの集合の第２の時間領域位置指示情報が含まれる前記第１の情報を端末に送信するステップと、を備える。
【００３３】
選択的に、前記第１の情報は、ＭＩＢ情報またはＳＩ情報であり、
前記第１のダウンリンク制御チャネルリソースの集合は、共通のダウンリンク制御チャネルリソースの集合の送信に用いられ、および/または前記第１のダウンリンク制御チャネルリソースの集合は、端末がモバイル通信ネットワークに初めてアクセスするときに、端末固有のダウンリンク制御チャネルリソースの集合の送信に用いられる。
【００３４】
選択的に、前記第２の周波数領域位置指示情報は、前記第２の周波数領域位置の周波数領域位置を直接に示し、
または、前記端末に対応する第１のプリセットされた周波数領域位置が事前定義されると、前記第２の周波数領域位置指示情報は、前記第２の周波数領域位置が、前記第１のプリセットされた周波数領域位置から第１のプリセットされたオフセット値の分にシフトされた後の周波数領域位置であることを示す。
【００３５】
選択的に、前記第２の時間領域位置指示情報は、前記第２の時間領域位置の周波数領域位置を直接に示す。
【００３６】
選択的に、前記第１の情報は上位層シグナリングであり、
前記第１のダウンリンク制御チャネルリソースの集合は、端末固有のダウンリンク制御チャネルリソースの集合の送信に用いられる。
【００３７】
選択的に、前記第２の周波数領域位置指示情報は、前記第２の周波数領域位置に対応する周波数領域位置を直接に示し、
または、前記端末に対応する第１のプリセットされた開始周波数領域位置が事前定義されると、前記第２の周波数領域位置指示情報は、前記第２の周波数領域位置に占有された周波数領域位置のサイズを示す。
【００３８】
選択的に、前記第２の時間領域位置指示情報は、前記第２の時間領域位置の周波数領域位置を直接に示す。
【００３９】
第３の態様によれば、本発明の実施形態による端末は、
【００４０】
事前定義された第１のダウンリンク制御チャネルリソースの集合の第１の周波数領域位置のプリセットされた情報および/または受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得するための、第１の取得モジュールと、
【００４１】
事前定義された前記第１のダウンリンク制御チャネルリソースの集合の第１の時間領域位置のプリセットされた情報または受信された基地局からの前記第１のダウンリンク制御チャネルリソースの集合の第２の時間領域位置指示情報が含まれる前記第１の情報に基づいて、前記端末に対応するダウンリンク制御チャネルリソースの集合を決定するための第３の時間領域位置を取得するための、第２の取得モジュールと、
【００４２】
前記第３の周波数領域位置および前記第３の時間領域位置に基づいて、前記端末に対応するダウンリンク制御チャネルリソースの集合を第３のダウンリンク制御チャネルリソースの集合として決定するための、第１の決定モジュールと、を備える。
【００４３】
選択的に、前記第１の情報はＭＩＢ情報またはＳＩ情報であり、
前記第１のダウンリンク制御チャネルリソースの集合は、共通のダウンリンク制御チャネルの送信に用いられ、および/または前記第１のダウンリンク制御チャネルリソースの集合は、端末がモバイル通信ネットワークに初めてアクセスするときに、端末固有のダウンリンク制御チャネルの送信に用いられる。
【００４４】
選択的に、前記第１の取得モジュールは、
前記第１の周波数領域位置のプリセットされた情報がＰＢＣＨおよび/またはＰＳＳおよび/またはＳＳＳに占有された第４の周波数領域位置であると、前記第４の周波数領域位置に基づいて、前記端末に対応するダウンリンク制御チャネルリソースの集合を決定するための第３の周波数領域位置を取得するための、第１の取得サブモジュールを備える。
【００４５】
選択的に、前記第１の取得モジュールは、
前記第１の周波数領域位置のプリセットされた情報がＰＢＣＨおよび/またはＰＳＳおよび/またはＳＳＳに占有された第４の周波数領域位置から第１のプリセットされたオフセット値の分をシフトすることを示す指示情報であると、前記第４の周波数領域位置および前記第１のプリセットされたオフセット値に基づいて、前記端末に対応するダウンリンク制御チャネルリソースの集合を決定するための第３の周波数領域位置を取得するための、第２の取得サブモジュールを備える。
【００４６】
選択的に、前記第１の周波数領域位置のプリセットされた情報がＰＢＣＨおよび/またはＰＳＳおよび/またはＳＳＳに占有された第４の周波数領域位置であると、前記第１の取得モジュールは、
【００４７】
受信した基地局からの前記第１のダウンリンク制御チャネルリソースの集合の第２の周波数領域位置指示情報が含まれる第１の情報に基づいて、前記第２の周波数領域位置指示情報を取得するための第３の取得サブモジュールであって、前記第２の周波数領域位置指示情報は、前記第４の周波数領域位置から第２のオフセット値の分をシフトすることを示す指示情報である前記第３の取得サブモジュールと、
【００４８】
前記第４の周波数領域位置および前記第２のオフセット値に基づいて、前記端末に対応するダウンリンク制御チャネルリソースの集合を決定するための第３の周波数領域位置を取得するための第４の取得サブモジュールであって，前記第３の周波数領域位置は、前記第４の周波数領域位置から第２のオフセット値の分をシフトした後の周波数領域位置である前記第４の取得サブモジュールと、を備える。
【００４９】
選択的に、前記第１の取得モジュールは、
【００５０】
受信した基地局からの前記第１のダウンリンク制御チャネルリソースの集合の第２の周波数領域位置指示情報が含まれる第１の情報に基づいて、前記第２の周波数領域位置指示情報を取得するための第５の取得サブモジュールであって、前記第２の周波数領域位置指示情報は、前記端末に対応するダウンリンク制御チャネルリソースの集合の周波数領域位置を示す指示情報である前記第５の取得サブモジュールと、
【００５１】
前記第２の周波数領域位置指示情報に基づいて、前記端末に対応するダウンリンク制御チャネルリソースの集合を決定するための第３の周波数領域位置を取得するための第６の取得サブモジュールと、を備える。
【００５２】
選択的に、前記第２の取得モジュールは、
【００５３】
受信された基地局からの前記第１のダウンリンク制御チャネルリソースの集合の第２の時間領域位置指示情報が含まれる前記第１の情報に基づいて、前記第２の時間領域位置指示情報を取得するための第７の取得サブモジュールであって、前記第２の時間領域位置指示情報は、前記端末に対応するダウンリンク制御チャネルリソースの集合の時間領域位置を示す指示情報である前記第７の取得サブモジュールと、
【００５４】
前記第２の時間領域位置指示情報に基づいて、前記端末に対応するダウンリンク制御チャネルリソースの集合を決定するための第３の時間領域位置を取得するための第８の取得サブモジュールと、を備える。
【００５５】
選択的に、前記第２の取得モジュールは、
【００５６】
事前定義された第１のダウンリンク制御チャネルリソースの集合の第１の時間領域位置のプリセットされたサイズおよび第１の時間領域位置のプリセットされた開始位置に基づいて、前記端末に対応するダウンリンク制御チャネルリソースの集合を決定するための第３の時間領域位置を取得するための第９の取得サブモジュールを備える。
【００５７】
選択的に、前記第１の情報は上位層シグナリングであり、
前記第１のダウンリンク制御チャネルリソースの集合は、端末固有のダウンリンク制御チャネルの送信に用いられる。
【００５８】
選択的に、事前定義された第１のダウンリンク制御チャネルリソースの集合の第１の周波数領域位置のプリセットされたサイズおよび第１の周波数領域位置のプリセットされた開始位置に基づいて、前記端末に対応するダウンリンク制御チャネルリソースの集合を決定するための第３の周波数領域位置を取得するための第１０の取得サブモジュールをさらに備える。
【００５９】
選択的に、受信した基地局からの前記第１のダウンリンク制御チャネルリソースの集合の第２の周波数領域位置指示情報が含まれる前記第１の情報に基づいて、第２の周波数領域位置指示情報を取得するための第１１の取得サブモジュールであって、前記第２の周波数領域位置指示情報は、前記端末に対応するダウンリンク制御チャネルリソースの集合の周波数領域位置を示す指示情報である前記第１１の取得サブモジュールと、
【００６０】
前記第２の周波数領域位置指示情報に基づいて、前記端末に対応するダウンリンク制御チャネルリソースの集合を決定するための第３の周波数領域位置を取得するための第１２の取得サブモジュールと、を備える。
【００６１】
選択的に、前記第２の周波数領域位置指示情報は、前記端末に対応するダウンリンク制御チャネルリソースの集合の周波数領域位置を示す指示情報である場合、
前記第２の周波数領域位置指示情報は、前記端末に対応するダウンリンク制御チャネルリソースの集合の開始周波数領域位置および占有された周波数領域リソースサイズを示す指示情報であり、
または、前記第２の周波数領域位置指示情報は、前記端末に対応するダウンリンク制御チャネルリソースの集合に占有された周波数領域リソースエレメントに対応するエレメントインデックスまたは占有された周波数領域リソースのエレメントグループに対応するエレメントグループインデックスを示す指示情報である。
【００６２】
選択的に、前記第１の周波数領域位置のプリセットされた情報が第１の周波数領域位置のプリセットされた開始位置であると、前記第１の取得モジュールは、
【００６３】
受信した基地局からの前記第１のダウンリンク制御チャネルリソースの集合の第２の周波数領域位置指示情報が含まれる前記第１の情報に基づいて、前記第２の周波数領域位置指示情報を取得するための第１３の取得サブモジュールであって、前記第２の周波数領域位置指示情報は、前記第１のダウンリンク制御チャネルリソースの集合に占有された周波数領域位置のサイズを示す前記第１３の取得サブモジュールと、
【００６４】
前記第１の周波数領域位置のプリセットされた開始位置および前記第１のダウンリンク制御チャネルリソースの集合に占有された周波数領域位置のサイズに基づいて、前記端末に対応するダウンリンク制御チャネルリソースの集合を決定するための第３の周波数領域位置を取得するための、第１４の取得サブモジュールと、を備える。
【００６５】
選択的に、前記第２の取得モジュールは、
事前定義された第１のダウンリンク制御チャネルリソースの集合の第１の時間領域位置のプリセットされたサイズおよび第１の時間領域位置のプリセットされた開始位置に基づいて、前記端末に対応するダウンリンク制御チャネルリソースの集合を決定するための第３の時間領域位置を取得するための、第１５の取得サブモジュールを備える。
【００６６】
選択的に、前記第２の取得モジュールは、
【００６７】
受信された基地局からの前記第１のダウンリンク制御チャネルリソースの集合の第２の時間領域位置指示情報が含まれる前記第１の情報に基づいて、前記第２の時間領域位置指示情報を取得するための第１６の取得サブモジュールであって、前記第２の時間領域位置指示情報は、前記端末に対応するダウンリンク制御チャネルリソースの集合の時間領域位置を示す指示情報である前記第１６の取得サブモジュールと、
【００６８】
前記第２の時間領域位置指示情報に基づいて、前記端末に対応するダウンリンク制御チャネルリソースの集合を決定するための第３の時間領域位置を取得するための第１７の取得サブモジュールと、を備える。
【００６９】
第４の態様によれば、本発明の実施形態による基地局は、
【００７０】
前記端末に、前記第１の情報に基づいて、前記端末に対応するダウンリンク制御チャネルリソースの集合の第２の周波数領域位置を決定するための第２の周波数領域位置指示情報を取得するように、第１のダウンリンク制御チャネルリソースの集合の第２の周波数領域位置指示情報が含まれる第１の情報を端末に送信するための、第１の送信モジュールと、
【００７１】
および/または、前記端末に、前記第１の情報に基づいて、前記端末に対応するダウンリンク制御チャネルリソースの集合の第２の時間領域位置を決定するための第２の時間領域位置指示情報を取得するように、前記第１のダウンリンク制御チャネルリソースの集合の第２の時間領域位置指示情報が含まれる前記第１の情報を端末に送信するための、前記第１の送信モジュールと、を備える。
【００７２】
選択的に、前記第１の情報は、ＭＩＢ情報またはＳＩ情報であり、
前記第１のダウンリンク制御チャネルリソースの集合は、共通のダウンリンク制御チャネルリソースの集合の送信に用いられ、および/または前記第１のダウンリンク制御チャネルリソースの集合は、端末がモバイル通信ネットワークに初めてアクセスするときに、端末固有のダウンリンク制御チャネルリソースの集合の送信に用いられる。
【００７３】
選択的に、前記第２の周波数領域位置指示情報は、前記第２の周波数領域位置の周波数領域位置を直接に示し、
または、前記端末に対応する第１のプリセットされた周波数領域位置が事前定義されると、前記第２の周波数領域位置指示情報は、前記第２の周波数領域位置が、前記第１のプリセットされた周波数領域位置から第１のプリセットされたオフセット値の分にシフトされた後の周波数領域位置であることを示す。
【００７４】
選択的に、前記第２の時間領域位置指示情報は、前記第２の時間領域位置の周波数領域位置を直接に示す。
【００７５】
選択的に、前記第１の情報は上位層シグナリングであり、
前記第１のダウンリンク制御チャネルリソースの集合は、端末固有のダウンリンク制御チャネルリソースの集合の送信に用いられる。
【００７６】
選択的に、前記第２の周波数領域位置指示情報は、前記第２の周波数領域位置に対応する周波数領域位置を直接に示し、
または、前記端末に対応する第１のプリセットされた開始周波数領域位置が事前定義されると、前記第２の周波数領域位置指示情報は、前記第２の周波数領域位置に占有された周波数領域位置のサイズを示す。
【００７７】
選択的に、前記第２の時間領域位置指示情報は、前記第２の時間領域位置の周波数領域位置を直接に示す。
【００７８】
第５の態様によれば、本発明の実施形態によるダウンリンク制御チャネルリソースの集合を決定するための端末は、プロセッサと、メモリとを備え、
前記プロセッサは、メモリ内のプログラムを読み取って実行するように構成されており、
事前定義された第１のダウンリンク制御チャネルリソースの集合の第１の周波数領域位置のプリセットされた情報および/または受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得し、
事前定義された前記第１のダウンリンク制御チャネルリソースの集合の第１の時間領域位置のプリセットされた情報または受信された基地局からの前記第１のダウンリンク制御チャネルリソースの集合の第２の時間領域位置指示情報が含まれる前記第１の情報に基づいて、前記端末に対応するダウンリンク制御チャネルリソースの集合を決定するための第３の時間領域位置を取得し、
前記第３の周波数領域位置および前記第３の時間領域位置に基づいて、前記端末に対応するダウンリンク制御チャネルリソースの集合を第３のダウンリンク制御チャネルリソースの集合として決定する。
【００７９】
選択的に、前記第１の情報はＭＩＢ情報またはＳＩ情報であり、
前記第１のダウンリンク制御チャネルリソースの集合は、共通のダウンリンク制御チャネルの送信に用いられ、および/または前記第１のダウンリンク制御チャネルリソースの集合は、端末がモバイル通信ネットワークに初めてアクセスするときに、端末固有のダウンリンク制御チャネルの送信に用いられる。
【００８０】
選択的に、前記第１の周波数領域位置のプリセットされた情報がＰＢＣＨおよび/またはＰＳＳおよび/またはＳＳＳに占有された第４の周波数領域位置であると、前記プロセッサは、
前記第４の周波数領域位置に基づいて、前記端末に対応するダウンリンク制御チャネルリソースの集合を決定するための第３の周波数領域位置を取得する。
【００８１】
選択的に、前記第１の周波数領域位置のプリセットされた情報がＰＢＣＨおよび/またはＰＳＳおよび/またはＳＳＳに占有された第４の周波数領域位置から第１のプリセットされたオフセット値の分をシフトすることを示す指示情報であると、前記プロセッサは、
前記第４の周波数領域位置および前記第１のプリセットされたオフセット値に基づいて、前記端末に対応するダウンリンク制御チャネルリソースの集合を決定するための第３の周波数領域位置を取得する。
【００８２】
選択的に、前記第１の周波数領域位置のプリセットされた情報がＰＢＣＨおよび/またはＰＳＳおよび/またはＳＳＳに占有された第４の周波数領域位置であると、前記プロセッサは、
受信した基地局からの前記第１のダウンリンク制御チャネルリソースの集合の第２の周波数領域位置指示情報が含まれる第１の情報に基づいて、前記第２の周波数領域位置指示情報を取得し、前記第２の周波数領域位置指示情報は、前記第４の周波数領域位置から第２のオフセット値の分をシフトすることを示す指示情報であり、
前記第４の周波数領域位置および前記第２のオフセット値に基づいて、前記端末に対応するダウンリンク制御チャネルリソースの集合を決定するための第３の周波数領域位置を取得する。
【００８３】
選択的に、前記プロセッサは、
受信した基地局からの前記第１のダウンリンク制御チャネルリソースの集合の第２の周波数領域位置指示情報が含まれる第１の情報に基づいて、前記第２の周波数領域位置指示情報を取得し、前記第２の周波数領域位置指示情報は、前記端末に対応するダウンリンク制御チャネルリソースの集合の周波数領域位置を示す指示情報であり、
前記第２の周波数領域位置指示情報に基づいて、前記端末に対応するダウンリンク制御チャネルリソースの集合を決定するための第３の周波数領域位置を取得する。
【００８４】
選択的に、前記プロセッサは、
受信された基地局からの前記第１のダウンリンク制御チャネルリソースの集合の第２の時間領域位置指示情報が含まれる前記第１の情報に基づいて、前記第２の時間領域位置指示情報を取得し、前記第２の時間領域位置指示情報は、前記端末に対応するダウンリンク制御チャネルリソースの集合の時間領域位置を示す指示情報であり、
前記第２の時間領域位置指示情報に基づいて、前記端末に対応するダウンリンク制御チャネルリソースの集合を決定するための第３の時間領域位置を取得する。
【００８５】
選択的に、前記プロセッサは、
事前定義された第１のダウンリンク制御チャネルリソースの集合の第１の時間領域位置のプリセットされたサイズおよび第１の時間領域位置のプリセットされた開始位置に基づいて、前記端末に対応するダウンリンク制御チャネルリソースの集合を決定するための第３の時間領域位置を取得する。
【００８６】
選択的に、前記第１の情報は上位層シグナリングであり、
前記第１のダウンリンク制御チャネルリソースの集合は、端末固有のダウンリンク制御チャネルの送信に用いられる。
【００８７】
選択的に、前記プロセッサは、
事前定義された第１のダウンリンク制御チャネルリソースの集合の第１の周波数領域位置のプリセットされたサイズおよび第１の周波数領域位置のプリセットされた開始位置に基づいて、前記端末に対応するダウンリンク制御チャネルリソースの集合を決定するための第３の周波数領域位置を取得する。
【００８８】
選択的に、前記プロセッサは、
受信した基地局からの前記第１のダウンリンク制御チャネルリソースの集合の第２の周波数領域位置指示情報が含まれる前記第１の情報に基づいて、第２の周波数領域位置指示情報を取得し、前記第２の周波数領域位置指示情報は、前記端末に対応するダウンリンク制御チャネルリソースの集合の周波数領域位置を示す指示情報であり、
前記第２の周波数領域位置指示情報に基づいて、前記端末に対応するダウンリンク制御チャネルリソースの集合を決定するための第３の周波数領域位置を取得する。
【００８９】
選択的に、前記第２の周波数領域位置指示情報は、前記端末に対応するダウンリンク制御チャネルリソースの集合の開始周波数領域位置および占有された周波数領域リソースサイズを示す指示情報であり、
または、前記第２の周波数領域位置指示情報は、前記端末に対応するダウンリンク制御チャネルリソースの集合に占有された周波数領域リソースエレメントに対応するエレメントインデックスまたは占有された周波数領域リソースのエレメントグループに対応するエレメントグループインデックスを示す指示情報である。
【００９０】
選択的に、前記第１の周波数領域位置のプリセットされた情報が第１の周波数領域位置のプリセットされた開始位置であると、前記プロセッサは、
受信した基地局からの前記第１のダウンリンク制御チャネルリソースの集合の第２の周波数領域位置指示情報が含まれる前記第１の情報に基づいて、前記第２の周波数領域位置指示情報を取得し、前記第２の周波数領域位置指示情報は、前記第１のダウンリンク制御チャネルリソースの集合に占有された周波数領域位置のサイズを示し、
前記第１の周波数領域位置のプリセットされた開始位置および前記第１のダウンリンク制御チャネルリソースの集合に占有された周波数領域位置のサイズに基づいて、前記端末に対応するダウンリンク制御チャネルリソースの集合を決定するための第３の周波数領域位置を取得する。
【００９１】
選択的に、前記プロセッサは、
事前定義された第１のダウンリンク制御チャネルリソースの集合の第１の時間領域位置のプリセットされたサイズおよび第１の時間領域位置のプリセットされた開始位置に基づいて、前記端末に対応するダウンリンク制御チャネルリソースの集合を決定するための第３の時間領域位置を取得する。
【００９２】
選択的に、前記プロセッサは、
受信された基地局からの前記第１のダウンリンク制御チャネルリソースの集合の第２の時間領域位置指示情報が含まれる前記第１の情報に基づいて、前記第２の時間領域位置指示情報を取得し、前記第２の時間領域位置指示情報は、前記端末に対応するダウンリンク制御チャネルリソースの集合の時間領域位置を示す指示情報であり、
前記第２の時間領域位置指示情報に基づいて、前記端末に対応するダウンリンク制御チャネルリソースの集合を決定するための第３の時間領域位置を取得する。
【００９３】
第６の態様によれば、本発明の実施形態によるダウンリンク制御チャネルリソースの集合のリソース位置情報を送信するための基地局は、プロセッサと、メモリとを備え、
前記プロセッサは、メモリ内のプログラムを読み取って実行するように構成されており、
前記端末に、前記第１の情報に基づいて、前記端末に対応するダウンリンク制御チャネルリソースの集合の第３の周波数領域位置を決定するための第２の周波数領域位置指示情報を取得するように、第１のダウンリンク制御チャネルリソースの集合の第２の周波数領域位置指示情報が含まれる第１の情報を端末に送信し、
および/または、前記端末に、前記第１の情報に基づいて、前記端末に対応するダウンリンク制御チャネルリソースの集合の第３の時間領域位置を決定するための第２の時間領域位置指示情報を取得するように、前記第１のダウンリンク制御チャネルリソースの集合の第２の時間領域位置指示情報が含まれる前記第１の情報を端末に送信する。
【００９４】
選択的に、前記第１の情報は、ＭＩＢ情報またはＳＩ情報であり、
前記第１のダウンリンク制御チャネルリソースの集合は、共通のダウンリンク制御チャネルリソースの集合の送信に用いられ、および/または前記第１のダウンリンク制御チャネルリソースの集合は、端末がモバイル通信ネットワークに初めてアクセスするときに、端末固有のダウンリンク制御チャネルリソースの集合の送信に用いられる。
【００９５】
選択的に、前記第２の周波数領域位置指示情報は、前記第２の周波数領域位置の周波数領域位置を直接に示し、
または、前記端末に対応する第１のプリセットされた周波数領域位置が事前定義されると、前記第２の周波数領域位置指示情報は、前記第２の周波数領域位置が、前記第１のプリセットされた周波数領域位置から第１のプリセットされたオフセット値の分にシフトされた後の周波数領域位置であることを示す。
【００９６】
選択的に、前記第２の時間領域位置指示情報は、前記第２の時間領域位置の周波数領域位置を直接に示す。
【００９７】
選択的に、前記第１の情報は上位層シグナリングであり、
前記第１のダウンリンク制御チャネルリソースの集合は、端末固有のダウンリンク制御チャネルリソースの集合の送信に用いられる。
【００９８】
選択的に、前記第２の周波数領域位置指示情報は、前記第２の周波数領域位置に対応する周波数領域位置を直接に示し、
または、前記端末に対応する第１のプリセットされた開始周波数領域位置が事前定義されると、前記第２の周波数領域位置指示情報は、前記第２の周波数領域位置に占有された周波数領域位置のサイズを示す。
【００９９】
選択的に、前記第２の時間領域位置指示情報は、前記第２の時間領域位置の周波数領域位置を直接に示す。
【０１００】
第７の態様によれば、本発明の実施形態は、コンピューティングデバイス上で実行されると、コンピューティングデバイスに第１の態様のいずれか１項に記載の方法、または第２の態様のいずれか１項に記載の方法を実行させるように構成されたプログラムコードを格納する可読記憶媒体を提供する。
【発明の効果】
【０１０１】
本発明の実施形態による１つ以上の技術的解決案によれば、端末は、送信帯域幅全体にわたってそのダウンリンク制御チャネルをリッスンすることから解放されることができる。５Gシステムにおいて、共通ＰＤＣＣＨ（ｃｏｍｍｏｎ ＰＤＣＣＨ）がダウンリンク制御チャネルリソースの一部を介して送信され、ＵＥ固有のＰＤＣＣＨ（ＵＥ ｓｐｅｃｉｆｉｃ ＰＤＣＣＨ）がダウンリンク制御チャネルリソースの他の部分を介して送信されるという既存の標準の会議で確認された現状に応じて、ダウンリンク制御チャネルリソースの集合の周波数領域および時間領域位置を決定する技術的解決案を提供し、システム送信帯域幅内のダウンリンク制御チャネルリソースの集合の位置を柔軟に構成して、端末の電力消費を低減し、将来の無線通信システムの干渉を制限するのに役に立つ効果を奏する。
【図面の簡単な説明】
【０１０２】
【図１】本発明の実施形態によるダウンリンク制御チャネルリソースの集合を決定するための方法のフローチャートである。
【図２】本発明の実施形態による端末に対応するダウンリンク制御チャネルリソースの集合の第１の概略図である。
【図３】本発明の実施形態による端末に対応するダウンリンク制御チャネルリソースの集合の第２の概略図である。
【図４】本発明の実施形態による端末に対応するダウンリンク制御チャネルリソースの集合の第３の概略図である。
【図５】本発明の実施形態による端末に対応するダウンリンク制御チャネルリソースの集合の第４の概略図である。
【図６】本発明の実施形態による端末に対応するダウンリンク制御チャネルリソースの集合の第５の概略図である。
【図７】本発明の実施形態による端末に対応するダウンリンク制御チャネルリソースの集合の第６の概略図である。
【図８】本発明の実施形態による端末に対応するダウンリンク制御チャネルリソースの集合の第７の概略図である。
【図９】本発明の実施形態による基地局ダウンリンク制御チャネルリソースの集合のリソース位置情報を送信するための方法の概略フローチャートである。
【図１０】本発明の実施形態による端末の概略構造図である。
【図１１】本発明の実施形態による別の端末の概略構造図である。
【図１２】本発明の実施形態による基地局の概略構造図である。
【発明を実施するための形態】
【０１０３】
従来技術における上記の技術的問題に対処するために、本発明の実施形態による技術的解決策の一般的な考え方は以下の通りである。
【０１０４】
端末によってダウンリンク制御チャネルリソースの集合を決定するための方法、ならびに基地局によってリソース位置情報を送信するための方法およびデバイスが提供され、端末は、事前定義された第１のダウンリンク制御チャネルリソースの集合の第１の周波数領域位置のプリセットされた情報および/または受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得し、事前定義された前記第１のダウンリンク制御チャネルリソースの集合の第１の時間領域位置のプリセットされた情報または受信された基地局からの前記第１のダウンリンク制御チャネルリソースの集合の第２の時間領域位置指示情報が含まれる前記第１の情報に基づいて、前記端末に対応するダウンリンク制御チャネルリソースの集合を決定するための第３の時間領域位置を取得し、前記第３の周波数領域位置および前記第３の時間領域位置に基づいて、前記端末に対応するダウンリンク制御チャネルリソースの集合を第３のダウンリンク制御チャネルリソースの集合として決定する。上記の技術的解決策により、従来技術における上記の技術的問題に効果的に対処することができる。
【０１０５】
本発明の実施形態による技術的解決策をより明確にするために、上記の技術的解決策を、図面を参照し、その特定の実施に関連して以下に詳細に説明する。本発明の実施形態に基づいて、本発明の努力なしに当業者が思いつく他のすべての実施形態は、本発明の特許請求の範囲に含まれるものとする。
【０１０６】
図１に示すように、本発明の第１の実施形態による、端末に適用される、ダウンリンク制御チャネルリソースの集合を決定するための方法は、以下を含む。
【０１０７】
S１０１において、事前定義された第１のダウンリンク制御チャネルリソースの集合の第１の周波数領域位置のプリセットされた情報および/または受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得する。
【０１０８】
S１０２において、事前定義された前記第１のダウンリンク制御チャネルリソースの集合の第１の時間領域位置のプリセットされた情報または受信された基地局からの前記第１のダウンリンク制御チャネルリソースの集合の第２の時間領域位置指示情報が含まれる前記第１の情報に基づいて、前記端末に対応するダウンリンク制御チャネルリソースの集合を決定するための第３の時間領域位置を取得する。
【０１０９】
S１０３において、前記第３の周波数領域位置および前記第３の時間領域位置に基づいて、前記端末に対応するダウンリンク制御チャネルリソースの集合を第３のダウンリンク制御チャネルリソースの集合として決定する。
【０１１０】
上記のステップＳ１０１およびＳ１０２は、代替的に、同時にまたは逆の順序で実行することができる。例えば、同じ第１のメッセージが、前記第１のダウンリンク制御チャネルリソースの集合の第２の周波数領域位置指示情報および前記第１のダウンリンク制御チャネルリソースの集合の第２の時間領域位置指示情報を共に含む場合、端末は、前記端末に対応するダウンリンク制御チャネルリソースの集合の第３の時間領域位置及び前記端末に対応するダウンリンク制御チャネルリソースの集合の第３の時間領域位置の両方を取得することができる。したがって、ステップＳ１０１およびＳ１０２は、特に、端末がソフトウェアおよび／またはハードウェアで対応するプログラムを実行するタイミングに応じて同時にまたは逆の順序で実行することができるが、本発明の実施形態はこれに限定されない。
【０１１１】
事前定義された第１のダウンリンク制御チャネルリソースの集合の第１の周波数領域位置のプリセットされた情報および事前定義された前記第１のダウンリンク制御チャネルリソースの集合の第１の時間領域位置のプリセットされた情報について、例えば、通信プロトコルで指定され、基地局と端末の両方に準拠しているため、基地局は、上記のステップ１０１および/またはステップ１０２が実行される前、ダウンリンク制御チャネルを送信するために、基地局に占有するリソースの集合を決定した。例えば、以下３つの場合あるが、これらに限定されない（ここで、例にすぎない）。
【０１１２】
第１の場合では、例えば、プロトコルで指定された時間領域周波数領域リソースの集合の位置情報に基づいて、ダウンリンク制御チャネルを送信するために基地局によって占有されたリソースの集合を決定した。この時点で、前記リソースの集合がプロトコルで指定され、変更されていない場合、基地局は端末に通知しないため、端末は、プロトコルで指定されたリソースの集合に基づいて、リソースの集合の特定の位置を独自に決定できる（ここで、前記リソースの集合は、周波数領域リソースおよび/または時間領域リソースの集合を指す）。
【０１１３】
第２の場合では、前記基地局が、プロトコルで指定された時間領域周波数領域リソースの集合の位置情報に基づいて、ダウンリンク制御チャネルを送信するために前記基地局によって占有されるリソースの集合（ここで、前記リソースの集合は、周波数領域リソースおよび/または時間領域リソースの集合を指す）を新たに決定する場合、例えば、基地局は、ダウンリンク制御チャネルを送信するために前記基地局によって占有されるリソースの集合がプロトコルで指定されたリソースの集合に対してオフセットがあると判断する。端末に、基地局からの通知に基づいて前記端末に対応するダウンリンクリソース集合の特定の位置を決定するように、基地局は、前記プロトコルで指定されたリソースの集合に対してオフセットを有することを示すメッセージを、端末に通知する。
【０１１４】
第３の場合では、前記基地局が、ダウンリンク制御チャネルを送信するために前記基地局によって占有されるリソースの集合（ここで、前記リソースの集合は、周波数領域リソースおよび/または時間領域リソースの集合を指す）の位置を独自に決定した場合、基地局からの通知に基づいて、前記端末に対応するダウンリンクリソースの集合の特定の位置を決定するように、基地局は、自身で決定したリソースの集合の位置のメッセージを端末に通知する。
【０１１５】
このようにして、基地局は、基地局によって決定されたリソースの集合上で対応するダウンリンク制御チャネルを送信でき、端末は、また、端末に対応するリソースの集合の特定の位置を取得できる。前記端末は、前記端末に対応するリソースの集合上で前記端末に対応するダウンリンク制御チャネルを受信することができるようになる。
【０１１６】
上記のステップ１０１および１０２において、端末に対応するダウンリンク制御チャネルリソースの集合の時間および周波数位置は、第１のダウンリンク制御チャネルリソースの集合を介して送信される異なるダウンリンク制御チャネルに依存するいくつかの以下の特定の実施で決定され得る。
【０１１７】
前記第１のダウンリンク制御チャネルリソースの集合は、共通のダウンリンク制御チャネルを送信するためのダウンリンク制御チャネルの第１のサブ集合であり、および/または前記第１のダウンリンク制御チャネルリソースの集合は、端末がモバイル通信ネットワークに初めてアクセスするときに、端末固有のダウンリンク制御チャネルの送信に用いられる場合、前記端末に対応するダウンリンク制御チャネルリソースの集合の時間領域位置および周波数領域位置を決定する。前記第１の情報は、ＭＩＢ（Ｍａｓｔｅｒ Ｉｎｆｏｒｍａｔｉｏｎ Ｂｌｏｃｋ，マスター情報ブロック）情報またはＳＩ（Ｓｙｓｔｅｍ Ｉｎｆｏｒｍａｔｉｏｎ，システム情報）情報である。端末は、ＭＩＢ情報またはＳＩ情報に含まれる関連の情報に基づいて、前記端末に対応するダウンリンク制御チャネルリソースの集合の周波数領域位置および/または時間領域位置を取得することができる。以下、ＭＩＢ情報を例とするが、ＭＩＢ情報またはＳＩ情報に限定されない。
【０１１８】
前記第１のダウンリンク制御チャネルリソースの集合は、ダウンリンク制御リソースの第２のサブ集合であり、端末固有のダウンリンク制御チャネルの伝送に用いられる。前記第１の情報は上位層シグナリングであり、端末は、上位層シグナリングに含まれる関連の情報に基づいて、前記端末に対応するダウンリンク制御チャネルリソースの集合の周波数領域位置および/または時間領域位置を取得することができる。
【０１１９】
前記第１のダウンリンク制御チャネルリソースの集合が前記第１のダウンリンク制御チャネルの第１のサブ集合であると、前記端末に対応するダウンリンク制御チャネルリソースの集合の時間領域位置および周波数領域位置は、以下のように決定され得る（特に図２から図５に示すように）。
【０１２０】
図２は、前記端末に対応するダウンリンク制御チャネルリソースの集合の時間領域位置および/または周波数領域位置を決定するための第１種の方法は、以下とおりである。
【０１２１】
例えば、１００ＭＨｚのダウンリンク送信帯域幅があるため、周波数領域には５００個の周波数リソースエレメントがあるダウンリンク制御チャネルの第１のサブ集合の第１の周波数領域位置のプリセットされた情報は、ＰＢＣＨ（Ｐｈｙｓｉｃａｌ Ｂｒｏａｄｃａｓｔ Ｃｈａｎｎｅｌ，物理ブロードキャストチャネル）および/またはＰＳＳ（Ｐｒｉｍａｒｙ Ｓｙｎｃｈｒｏｎｉｚｅｄ Ｓｉｇｎａｌ，プライマリ同期信号）および/またはＳＳＳ（Ｓｅｃｏｎｄａｒｙ Ｓｙｎｃｈｒｏｎｉｚａｔｉｏｎ Ｓｉｇｎａｌ，セカンダリ同期信号）に占有された第４の周波数領域位置として事前定義される。
【０１２２】
例えば、基地局は、ダウンリンク送信帯域幅で端末と合意したＹ ＭＨｚ帯域幅でＰＢＣＨおよび／またはＰＳＳおよび／またはＳＳＳを送信し、例えば、Ｙ=５である。端末は、前記端末に対応するダウンリンク制御チャネルリソースの集合の第３の周波数領域位置として、前記ＰＢＣＨおよび/またはＰＳＳおよび/またはＳＳＳが送信されるＹ ＭＨｚ帯域幅に占有された第４の周波数領域位置を決定する。即ち、前記ＰＢＣＨおよび/またはＰＳＳおよび/またはＳＳＳが送信されるＹ ＭＨｚ帯域幅は、前記端末に対応するダウンリンク制御チャネルリソースの集合の周波数領域リソースの集合であり、当該周波数領域リソースの集合において、共通のダウンリンク制御チャネルが受信されるか、または、初めてアクセスしたときスケジューリングＲＲＣ（Ｒａｄｉｏ Ｒｅｓｏｕｒｃｅ Ｃｏｎｔｒｏｌ，無線リソース制御）シグナリングを介して送信される端末固有の（ＵＥ−ｓｐｅｃｉｆｉｃ）ダウンリンク制御チャネルが受信されるか、または、他の前記第３の周波数領域位置に対応する周波数領域リソースの集合内において送信すべきダウンリンク制御チャネルが受信される。
【０１２３】
ここで、ダウンリンク制御チャネルリソースの第１のサブ集合に占有された時間領域リソースは、ＭＩＢで通知されるか、プロトコルで事前定義される。具体的に、例えば、基地局は、端末にＭＩＢ情報を送信する。前記ＭＩＢ情報には、前記ダウンリンク制御チャネルリソースの第１のサブ集合の第２の時間領域位置指示情報が含まれる。前記第２の時間領域位置指示情報は、前記端末に対応するダウンリンク制御チャネルリソースの集合の時間領域位置を示す。前記第２の時間領域位置指示情報に基づいて、端末は、前記端末に対応するダウンリンク制御チャネルリソースの集合の第３の時間領域位置を取得することができる。
【０１２４】
または、前記第１の周波数領域位置のプリセットされた情報を、ＰＢＣＨおよび/またはＰＳＳおよび/またはＳＳＳに占有された第４の周波数領域位置から第１のプリセットされたオフセット値の分をシフトすることを示す情報として事前定義する場合、前記第４の周波数領域位置および前記第１のプリセットされたオフセット値に基づいて、前記端末に対応するダウンリンク制御チャネルリソースの集合を決定するための第３の周波数領域位置を取得する。例えば、前記第３の周波数領域位置は、ＰＢＣＨおよび/またはＰＳＳおよび/またはＳＳＳに占有された第４の周波数領域位置から第１のプリセットされたオフセット値の分にシフトされた後の周波数領域位置である。
【０１２５】
または、ダウンリンク制御チャネルリソースの第１のサブ集合の第１の時間領域位置のプリセットされたサイズおよび第１の時間領域位置のプリセットされた開始位置が事前定義されるため、端末は、端末に対応するダウンリンク制御チャネルリソースの集合の第３の時間領域位置を取得することができる。
【０１２６】
図３は、前記端末に対応するダウンリンク制御チャネルリソースの集合の時間領域位置および/または周波数領域位置を決定するための第２種の方法を示す。
【０１２７】
例えば、１００ＭＨｚのダウンリンク送信帯域幅があるため、周波数領域には５００個の周波数リソースエレメントがある。例えば、ダウンリンク制御チャネルの第１のサブ集合の第１の周波数領域位置のプリセットされた情報を、ＰＢＣＨおよび/またはＰＳＳおよび/またはＳＳＳに占有された第４の周波数領域位置として事前定義し、第２の周波数領域位置指示情報は、前記第４の周波数領域位置から第２のオフセット値の分をシフトすることを示す指示情報である。
【０１２８】
基地局は、ダウンリンク送信帯域幅の、端末と合意したＹ ＭＨｚ帯域幅でＰＢＣＨおよび/またはＰＳＳおよび/またはＳＳＳを伝送し、例えば、Y=５である。端末は、前記第４の周波数領域位置および第２のオフセット値に基づいて、前記端末に対応するダウンリンク制御チャネルリソースの集合の周波数領域リソースの開始位置を決定する。前記第２のオフセット値は、ＭＩＢによって通知されるか、事前定義されたオフセット値Ｒ１である。前記端末に対応するダウンリンク制御チャネルリソースの集合のサイズは、ＭＩＢによって通知されるか、または、ＰＢＣＨおよび/またはＰＳＳおよび/またはＳＳＳに占有された帯域幅と同様である。上記第２のオフセット値、および前記第４の周波数領域位置に基づいて、前記端末に対応するダウンリンク制御チャネルリソースの集合の第３の周波数領域位置を決定する。
【０１２９】
同様に、端末に対応するダウンリンク制御チャネルリソースの集合に占有された時間領域リソースに対応する第３の時間領域位置は、ＭＩＢで通知されるか、事前定義される。
【０１３０】
図４および/または図５は、前記端末に対応するダウンリンク制御チャネルリソースの集合の時間領域位置および/または周波数領域位置を決定するための第３種の方法を示す。
【０１３１】
例えば、１００ＭＨｚのダウンリンク送信帯域幅があるため、周波数領域には５００個の周波数リソースエレメントがある。例えば、基地局は、ダウンリンク制御チャネルリソースの第１のサブ集合のリソース粒度がN個の周波数リソースエレメントであることを端末に通知する。基地局は、ＭＩＢにＰ ｂｉｔの第２の周波数領域位置指示情報を含くませて、端末に対応するダウンリンク制御チャネルリソースの集合に占有された周波数領域リソースの第３の周波数領域位置を示す必要があり、以下の方式で、対応するダウンリンク制御チャネルリソースの集合に占有された周波数領域リソースの第３の周波数領域位置を端末に通知するか、これらの方式に限定しない。ここで、前記Pのサイズは特に限定することなく以下の２つの方式で決定できる。
【０１３２】
第１の方式：例えば、前記Ｎ=５０であり、合計で５００個の周波数領域リソースエレメントがあり、リソース粒度は５０であるため、１ｂｉｔは１つのリソースエレメントを示し、５００/５０=１０ｂｉｔであるため、前記端末に対応するダウンリンク制御チャネルリソースの集合に占有された周波数領域リソースの第３の周波数領域位置は、Ｐ＝１０ｂｉｔで通知される。ここで、あるいは、示される最大帯域幅または別のプリセットされた帯域幅などに基づいて、前記Ｐ的サイズを決定する。
【０１３３】
第２の方式：例えば、Ｎ=１０であるため、ceil（log２（Q*（Q+１）/２））=ceil（log２（５０*（５０+１）/２））=１１ｂｉｔの方式で、前記端末に対応するダウンリンク制御チャネルリソースの集合に占有された周波数領域リソースの第３の周波数領域位置を通知することができる。ここで、Qは、ダウンリンク送信帯域幅に含まれるリソース粒度の数である。
【０１３４】
端末は、ＭＩＢ情報を受信した後、ＭＩＢ情報のＰ ｂｉｔ指示情報フィールドに従って、前記端末に対応するダウンリンク制御チャネルリソースの集合に占有された周波数領域リソースの第３の周波数領域位置を決定する。また、前記第３の周波数領域位置に対応する周波数領域リソースの集合において、共通のダウンリンク制御チャネルを受信するか、または、初めてアクセスしたときのスケジューリングＲＲＣシグナリングを介して送信される端末固有の（ＵＥ−ｓｐｅｃｉｆｉｃ）ダウンリンク制御チャネルを受信するか、または、前記第３の周波数領域位置に対応する周波数領域リソースの集合において送信すべきダウンリンク制御チャネルを受信する。さらに、ＭＩＢによって示された前記第３の周波数領域位置に対応する周波数領域リソースの集合は、周波数領域で連続的または離散的であり、図４および/または図５に示すとおりである。
【０１３５】
同様に、端末に対応するダウンリンク制御チャネルリソースの集合に占有された時間領域リソースに対応する第３の時間領域位置は、ＭＩＢで通知されるか、事前定義される。
【０１３６】
前記第１のダウンリンク制御チャネルリソースの集合が前記ダウンリンク制御チャネルの第２のサブ集合である場合、前記端末に対応するダウンリンク制御チャネルリソースの集合の時間領域位置および周波数領域位置を決定するための方法は、以下とおりである。
【０１３７】
前記端末に対応するダウンリンク制御チャネルリソースの集合の時間領域位置および/または周波数領域位置を決定するための第４種の方法として、
【０１３８】
例えば、１００ＭＨｚのダウンリンク送信帯域幅があるため、周波数領域には５００個の周波数リソースエレメントがある。端末がリッスンする周波数リソースの位置は事前に定義されている。具体的に、ダウンリンク制御チャネルリソースの第２のサブ集合の第１の周波数領域位置のプリセットされたサイズおよび第１の周波数領域位置のプリセットされた開始位置を事前に定義する。
【０１３９】
例えば、前記ダウンリンク制御チャネルリソースの第２のサブ集合は、M*K個の周波数領域リソースエレメントを占有し、ここで、ＭおよびＫは両方ともに１以上の正の整数であり、規格で定義されている。端末は、事前定義で、前記端末に対応するダウンリンク制御チャネルリソースの集合の開始周波数領域位置および占有された周波数領域位置のサイズを取得する。例えば、前記端末に対応するダウンリンク制御チャネルリソースの集合の開始周波数領域位置および前記第１の周波数領域位置のプリセットされた開始位置を取得する。前記端末に対応するダウンリンク制御チャネルリソースの集合に占有された周波数領域位置のサイズは、前記第１の周波数領域位置のプリセットされたサイズと同様である。
【０１４０】
ダウンリンク制御チャネルリソースの第２のサブ集合の第１の周波数領域位置のプリセットされた開始位置を決定し、前記事前定義された方式は、以下のような方式があるが、これらに限定しない。
【０１４１】
端末は、自分のＲＮＴＩ（Ｒａｄｉｏ Ｎｅｔｗｏｒｋ Ｔｅｍｐｏｒａｒｙ Ｉｄｅｎｔｉｆｉｅｒ，無線ネットワーク一時識別子）に基づいて、ダウンリンク帯域幅内の端末に対応するダウンリンク制御チャネルリソースの第２のサブ集合の開始周波数領域位置を決定する。
【０１４２】
前記端末に対応するダウンリンク制御チャネルリソースの集合に占有された時間領域リソースは、上位層シグナリングを介して明示的に通知されるか、またはプロトコルで事前定義される。具体的に、例えば、
【０１４３】
ダウンリンク制御チャネルリソースの第２のサブ集合の第１の時間領域位置のプリセットされたサイズおよび第１の時間領域位置のプリセットされた開始位置を事前に定義し、端末は、前記端末に対応するダウンリンク制御チャネルリソースの集合の第３の時間領域位置を取得することができる。
【０１４４】
または、基地局は、端末に上位層シグナリングを送信し、前記上位層シグナリングには、前記ダウンリンク制御チャネルリソースの第２のサブ集合の第２の時間領域位置指示情報が含まれる。前記第２の時間領域位置指示情報は、前記端末に対応するダウンリンク制御チャネルリソースの集合の時間領域位置を示す指示情報であり、前記第２の時間領域位置指示情報に基づいて、端末は、前記端末に対応するダウンリンク制御チャネルリソースの集合の第３の時間領域位置を取得することができる。
【０１４５】
図６および/または図７は、前記端末に対応するダウンリンク制御チャネルリソースの集合の時間領域位置および/または周波数領域位置を決定するための第５種の方法を示す。
【０１４６】
例えば、１００ＭＨｚのダウンリンク送信帯域幅があるため、周波数領域には５００個の周波数リソースエレメントがある。端末は、上位層シグナリング（例えば、ＲＲＣ ｓｉｇｎａｌｉｎｇ）に含まれるダウンリンク制御チャネルリソースの第２のサブ集合の第２の周波数領域位置指示情報により、端末に対応するダウンリンク制御チャネルリソースの集合に占有された周波数領域リソースの第３の周波数領域位置を示し、このようにして、端末は、リッスンすべき周波数領域リソース位置を取得する。前記第２の周波数領域位置指示情報は、Ｐ ｂｉｔの指示情報で示される。前記Ｐ ｂｉｔ指示情報は、以下の実施で解析できるが、これに限定されていない。
【０１４７】
第１の方式：Ｐ ｂｉｔ指示情報は、前記端末に対応するダウンリンク制御チャネルリソースの集合の開始周波数領域位置および占有された周波数領域リソースサイズを示す。
【０１４８】
第２の方式：Ｐ ｂｉｔ指示情報は、前記端末に対応するダウンリンク制御チャネルリソースの集合の具体的な周波数領域リソースの第３の周波数領域位置を示し、例えば、Ｐ ｂｉｔ指示情報は、前記端末に対応するダウンリンク制御チャネルリソースの集合に占有された周波数領域リソースエレメントに対応するエレメントインデックスまたは占有された周波数領域リソースのエレメントグループに対応するエレメントグループインデックスを示す指示情報である。
【０１４９】
ここで、前記Ｐのサイズは特に限定することなく以下の２つの方式で決定できる。
【０１５０】
第１の方式：例えば、前記Ｎ=５０であり、合計で５００個の周波数領域リソースエレメントがあり、リソース粒度は５０であるため、１ｂｉｔは１つのリソースエレメントを示し、５００/５０=１０ｂｉｔであるため、前記端末に対応するダウンリンク制御チャネルリソースの集合に占有された周波数領域リソースの第３の周波数領域位置は、P=１０ｂｉｔで通知される。ここで、あるいは、示される最大帯域幅または別のプリセットされた帯域幅などに基づいて、前記P的サイズを決定する。
【０１５１】
第２の方式：例えば、Ｎ=１０であるため、ceil（log２（Q*（Q+１）/２））=ceil（log２（５０*（５０+１）/２））=１１ｂｉｔの方式で、前記端末に対応するダウンリンク制御チャネルリソースの集合に占有された周波数領域リソースの第３の周波数領域位置を通知することができる。ここで、Qは、ダウンリンク送信帯域幅に含まれるリソース粒度の数である。
【０１５２】
Ｐ ｂｉｔ指示情報は、端末に対応するダウンリンク制御チャネルリソースの集合の具体的な周波数領域リソースのリソース粒度がＫ個のＲＢであることを示し、Kは、１より大きいか等しい正の整数である。示された、端末に対応するダウンリンク制御チャネルリソースの集合の具体的な周波数領域リソースは、周波数領域で連続的または離散的である。端末は、受信したＰ ｂｉｔ指示情報に基づいて、端末に対応するダウンリンク制御チャネルリソースの集合の具体的な周波数領域リソースの第３の周波数領域位置を取得し、前記リソースの集合においてデータ伝送をスケジューリングするダウンリンク制御チャネルリソースを受信する。図６または図７に示すように、例えば、基地局は、上位層シグナリングを介して、端末に対して、前記端末に対応するダウンリンク制御チャネルリソースの集合の第３の周波数領域位置を設定する。上位層シグナリングを介して設定された前記第３の周波数領域位置に対応する周波数領域リソースの集合は、周波数領域で連続的または離散的であり、１つの上位層シグナリング周期内に、端末は、上位層シグナリングによりしめされたリソース位置でダウンリンクデータ伝送をスケジューリングするダウンリンク制御チャネルを受信する。
【０１５３】
前記端末に対応するダウンリンク制御チャネルリソースの集合に占有された時間領域リソースは、上位層シグナリングを介して明示的に通知されるか、またはプロトコルで事前定義される。具体的に、例えば、
【０１５４】
ダウンリンク制御チャネルリソースの第２のサブ集合の第１の時間領域位置のプリセットされたサイズおよび第１の時間領域位置のプリセットされた開始位置を事前に定義し、端末は、前記端末に対応するダウンリンク制御チャネルリソースの集合の第３の時間領域位置を取得することができる。
【０１５５】
または、基地局は、端末に上位層シグナリングを送信し、前記上位層シグナリングには、前記ダウンリンク制御チャネルリソースの第２のサブ集合の第２の時間領域位置指示情報が含まれる。前記第２の時間領域位置指示情報は、前記端末に対応するダウンリンク制御チャネルリソースの集合の時間領域位置を示す指示情報であり、前記第２の時間領域位置指示情報に基づいて、端末は、前記端末に対応するダウンリンク制御チャネルリソースの集合の第３の時間領域位置を取得することができる。
【０１５６】
図８に示される前記端末に対応するダウンリンク制御チャネルリソースの集合の時間領域位置および/または周波数領域位置を決定するための第６種の方法は、以下で説明する。
【０１５７】
例えば、１００ＭＨｚのダウンリンク送信帯域幅があるため、周波数領域には５００個の周波数リソースエレメントがある。端末は上位層シグナリング、例えば、ＲＲＣ シグナリング（ＲＲＣシグナリングに限られない）に含まれるダウンリンク制御チャネルリソースの第２のサブ集合の第２の周波数領域位置指示情報および事前定義された方式により、端末リッスンすべき周波数領域リソース位置を決定する。
【０１５８】
前記ＲＲＣ シグナリングに含まれる第２の周波数領域位置指示情報は、Ｐ ｂｉｔで構成され、ダウンリンク帯域幅における、前記端末に対応するダウンリンク制御チャネルリソースの集合に占有された第３の周波数領域位置のサイズを示す。前記事前定義された方式は、以下の方式を有するが、これらに限られない。
【０１５９】
端末は、自身のＲＮＴＩで、ダウンリンク帯域幅における、対応するダウンリンク制御チャネルリソースの集合の開始位置を決定する。
【０１６０】
端末は、ＲＲＣ シグナリングにより通知された前記端末に対応するダウンリンク制御チャネルリソースの集合の、ダウンリンク帯域幅において占有された第３の周波数領域位置のサイズおよび自身のＲＮＴＩに対応するダウンリンク制御チャネルリソースの集合の、ダウンリンク帯域幅内の開始位置に基づいて、前記端末に対応するダウンリンク制御チャネルリソースの集合の、ダウンリンク帯域幅上の具体的な周波数領域位置を取得し、前記リソースの集合において、データ伝送をスケジューリングするダウンリンク制御チャネルを受信する。図８に示すように、たとえば、基地局は各タイムスロットで２つの端末、つまり端末１と端末２をスケジュールし、図８は２つのダウンリンク制御チャネルリソースの集合の概略図を示す。上位層シグナリングを介して端末１および端末２に設定されたダウンリンク制御チャネルリソースの第２のサブ集合の周波数領域サイズは、それぞれＭ１及びＭ２であり、Ｍ１>Ｍ２である。端末１および端末２それぞれは、自身のＲＮＴＩに基づいて、前記端末に対応するダウンリンク制御チャネルリソースの集合の、周波数領域上の開始位置を決定する。図８に示すように、端末１および端末２は、上位層シグナリングにより通知されたリソースの集合サイズ及び自身のＲＮＴＩで決定された開始位置に基づいて、１つの上位層シグナリング周期内に、２つの端末は、前記決定されたリソース位置で、ダウンリンクデータ伝送をスケジューリングするダウンリンク制御チャネルを受信する。
【０１６１】
同様に、前記端末に対応するダウンリンク制御チャネルリソースの集合に占有された時間領域リソースは、上位層シグナリングを介して明示的に通知されるか、またはプロトコルで事前定義される。
【０１６２】
上述したように、端末が前記端末に対応するダウンリンク制御チャネルリソースの集合を第３のダウンリンク制御チャネルリソースの集合として決定する前に、基地局は、前記基地局がダウンリンク制御チャネルリソースの集合を送信するのに占有されるリソース位置を決定した。したがって、基地局は、前記基地局によって決定されたリソースの集合において、対応のダウンリンク制御チャネルを送信する。これに応じて、端末は、前記端末に対応するリソースの集合において、前記端末に対応するダウンリンク制御チャネルを受信する。
【０１６３】
図９に示すように、本発明の第２の実施形態による基地局に適用される、ダウンリンク制御チャネルリソースの集合のリソース位置情報を送信するための方法は、以下のステップを備える。
【０１６４】
S２０１において、前記端末に、前記第１の情報に基づいて、前記端末に対応するダウンリンク制御チャネルリソースの集合の第２の周波数領域位置を決定するための第２の周波数領域位置指示情報を取得するように、前記基地局は、第１のダウンリンク制御チャネルリソースの集合の第２の周波数領域位置指示情報が含まれる第１の情報を端末に送信する。
【０１６５】
S２０２において、および/または、前記端末に、前記第１の情報に基づいて、前記端末に対応するダウンリンク制御チャネルリソースの集合の第２の時間領域位置を決定するための第２の時間領域位置指示情報を取得するように、前記基地局は、前記第１のダウンリンク制御チャネルリソースの集合の第２の時間領域位置指示情報が含まれる前記第１の情報を端末に送信する。
【０１６６】
上記のステップS２０１およびＳ２０２は、同時にまたは逆の順序で実行することができる。例えば、同じ第１のメッセージに、第１のダウンリンク制御チャネルリソースの集合の第２の周波数領域位置指示情報および前記第１のダウンリンク制御チャネルリソースの集合の第２の時間領域位置指示情報の両方が含まれる場合、基地局は、前記端末に対応するダウンリンク制御チャネルリソースの集合の第３の時間領域位置および前記端末に対応するダウンリンク制御チャネルリソースの集合の第３の時間領域位置の両方を送信することができる。したがって、具体的なステップS２０１およびS２０２は、特に、基地局がソフトウェアおよび／またはハードウェアで対応するプログラムを実行するタイミングに応じて、同時にまたは逆の順序で実行できるが、本発明の実施形態はこれに限定されない。
【０１６７】
ここで、端末に対応するダウンリンク制御チャネルリソースの集合の時間および周波数位置は、ダウンリンク制御チャネルリソースの第１の集合を介して送信される異なるダウンリンク制御チャネルに依存する以下のいくつかの特定の実施で送信され得る。
【０１６８】
前記第１のダウンリンク制御チャネルリソースの集合は、ダウンリンク制御チャネルの第１のサブ集合であり、共通のダウンリンク制御チャネルリソースの集合の伝送に用いられる。および/または前記第１のダウンリンク制御チャネルリソースの集合は、端末がモバイル通信ネットワークに初めてアクセスするときに、端末固有のダウンリンク制御チャネルリソースの集合の送信に用いられる。前記第１の情報はＭＩＢ情報またはＳＩ情報であり、基地局は、端末にＭＩＢ情報またはＳＩ情報に含まれる関連の情報を送信することにより、前記端末に、前記端末に対応するダウンリンク制御チャネルリソースの集合の第３の周波数領域/時間領域位置を決定するための第２の周波数領域/時間領域位置指示情報を取得できるようにする。以下、ＭＩＢ情報を例とするが、ＭＩＢ情報またはＳＩ情報に限定されない。
【０１６９】
前記第１のダウンリンク制御チャネルリソースの集合は、ダウンリンク制御リソースの第２のサブ集合であり、端末固有のダウンリンク制御チャネルの伝送に用いられる。前記第１の情報は上位層シグナリングであり、基地局は、端末に、上位層シグナリングに含まれる関連の情報を送信することにより、前記端末に、前記端末に対応するダウンリンク制御チャネルリソースの集合の第３の周波数領域/時間領域位置を決定するための第２の周波数領域/時間領域位置指示情報を取得できるようにする。
【０１７０】
前記第１のダウンリンク制御チャネルリソースの集合がダウンリンク制御チャネルの第１のサブ集合である場合、
前記第２の周波数領域位置指示情報は、以下の２つあるが、これらに限られない。
【０１７１】
前記第２の周波数領域位置指示情報は、前記第２の周波数領域位置の周波数領域位置を直接に示す。
または、前記端末に対応する第１のプリセットされた周波数領域位置が事前定義されると、前記第２の周波数領域位置指示情報は、前記第２の周波数領域位置が、前記第１のプリセットされた周波数領域位置から第１のプリセットされたオフセット値の分にシフトされた後の周波数領域位置であることを示す。
【０１７２】
前記第２の時間領域位置指示情報は、前記第２の時間領域位置の周波数領域位置を直接に示す。
【０１７３】
前記第１のダウンリンク制御チャネルリソースの集合が第２の部分ダウンリンク制御チャネル集合である場合、
前記第２の周波数領域位置指示情報は、以下の２つあるが、これらに限られない。
【０１７４】
前記第２の周波数領域位置指示情報は、前記第２の周波数領域位置に対応する周波数領域位置を直接に示す。
または、前記端末に対応する第１のプリセットされた開始周波数領域位置が事前定義されると、前記第２の周波数領域位置指示情報は、前記第２の周波数領域位置に占有された周波数領域位置のサイズを示す。
【０１７５】
前記第２の時間領域位置指示情報は、前記第２の時間領域位置の周波数領域位置を直接に示す。
【０１７６】
前記端末が基地局からの第２の周波数領域/時間領域位置指示情報を取得した後、端末は、前記第２の周波数領域位置指示情報および/または事前定義された第１の周波数領域位置のプリセットされた情報に基づいて、前記端末に対応するダウンリンク制御チャネルリソースの集合の第３の周波数領域位置を決定して取得する。端末は、前記第２の時間領域位置指示情報および/または事前定義された第１の時間領域位置のプリセットされた情報に基づいて、前記端末に対応するダウンリンク制御チャネルリソースの集合の第３の時間領域位置を決定して取得する。端末は、前記第３の周波数領域位置および前記第３の時間領域位置に基づいて、前記端末に対応するダウンリンク制御チャネルリソースの集合を第３のダウンリンク制御チャネルリソースの集合として決定する。
【０１７７】
基地局は、前記端末に対応するダウンリンク制御チャネルリソースの集合において、対応のダウンリンク制御チャネルを送信する。 
【０１７８】
上記の場合、例えば、ダウンリンク制御チャネルリソースの集合の位置は、通信プロトコルで指定されており、基地局および端末の両方によって遵守されるため、基地局は、プロトコルで指定された時間領域周波数領域リソースの集合の位置情報に基づいてダウンリンク制御チャネルを送信するために基地局によって占有されたリソースの集合を決定した。この時点で、前記リソースの集合がプロトコルで指定され、変更されていない場合、基地局は端末に通知しないため、端末は、プロトコルで指定されたリソースの集合に基づいて、リソースの集合の特定の位置を独自に決定できる（ここで、前記リソースの集合は、周波数領域リソースおよび/または時間領域リソースの集合を指す）。
【０１７９】
前記基地局が、プロトコルで指定された時間領域周波数領域リソースの集合の位置情報に基づいて、ダウンリンク制御チャネルを送信するために前記基地局によって占有されるリソースの集合（ここで、前記リソースの集合は、周波数領域リソースおよび/または時間領域リソースの集合を指す）を新たに決定する場合、例えば、基地局は、ダウンリンク制御チャネルを送信するために前記基地局によって占有されるリソースの集合がプロトコルで指定されたリソースの集合に対してオフセットがあると判断する。端末に、基地局からの通知に基づいて前記端末に対応するダウンリンクリソース集合の特定の位置を決定するように、基地局は、前記プロトコルで指定されたリソースの集合に対してオフセットを有することを示すメッセージを、端末に通知する。
【０１８０】
前記基地局が、ダウンリンク制御チャネルを送信するために前記基地局によって占有されるリソースの集合（ここで、前記リソースの集合は、周波数領域リソースおよび/または時間領域リソースの集合を指す）の位置を独自に決定した場合、基地局からの通知に基づいて、前記端末に対応するダウンリンクリソースの集合の特定の位置を決定するように、基地局は、自身で決定したリソースの集合の位置のメッセージを端末に通知する。
【０１８１】
このようにして、基地局は、基地局によって決定されたリソースの集合上で対応するダウンリンク制御チャネルを送信でき、端末は、また、端末に対応するリソースの集合の特定の位置を取得できる。前記端末は、前記端末に対応するリソースの集合上で前記端末に対応するダウンリンク制御チャネルを受信することができるようになる。
【０１８２】
図１０に示すように、本発明の第３の実施形態による端末は、事前定義された第１のダウンリンク制御チャネルリソースの集合の第１の周波数領域位置のプリセットされた情報および/または受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得するための、第１の取得モジュール１０１と、
【０１８３】
事前定義された前記第１のダウンリンク制御チャネルリソースの集合の第１の時間領域位置のプリセットされた情報または受信された基地局からの前記第１のダウンリンク制御チャネルリソースの集合の第２の時間領域位置指示情報が含まれる前記第１の情報に基づいて、前記端末に対応するダウンリンク制御チャネルリソースの集合を決定するための第３の時間領域位置を取得するための、第２の取得モジュール１０２と、
【０１８４】
前記第３の周波数領域位置および前記第３の時間領域位置に基づいて、前記端末に対応するダウンリンク制御チャネルリソースの集合を第３のダウンリンク制御チャネルリソースの集合として決定するための、第１の決定モジュール１０３と、を備える。
【０１８５】
ここで、事前定義された第１のダウンリンク制御チャネルリソースの集合の第１の周波数領域位置のプリセットされた情報および事前定義された前記第１のダウンリンク制御チャネルリソースの集合の第１の時間領域位置のプリセットされた情報は、例えば、通信プロトコルで指定されており、基地局および端末の両方によって遵守されるものである。したがって、端末が、対応のダウンリンク制御チャネルリソースの集合を決定する前、ダウンリンク制御チャネルを送信するために基地局によって占有されたリソースの集合を決定した。例えば、以下のような３つの場合があるが、これらに限られない（ここでは例にすぎない）。
【０１８６】
第１の場合では、例えば、プロトコルで指定された時間領域周波数領域リソースの集合の位置情報に基づいてダウンリンク制御チャネルを送信するために基地局によって占有されたリソースの集合を決定した。この時点で、前記リソースの集合がプロトコルで指定され、変更されていない場合、基地局は端末に通知しないため、端末は、プロトコルで指定されたリソースの集合に基づいて、リソースの集合の特定の位置を独自に決定できる（ここで、前記リソースの集合は、周波数領域リソースおよび/または時間領域リソースの集合を指す）。
【０１８７】
第２の場合では、前記基地局が、プロトコルで指定された時間領域周波数領域リソースの集合の位置情報に基づいて、ダウンリンク制御チャネルを送信するために前記基地局によって占有されるリソースの集合（ここで、前記リソースの集合は、周波数領域リソースおよび/または時間領域リソースの集合を指す）を新たに決定する場合、例えば、基地局は、ダウンリンク制御チャネルを送信するために前記基地局によって占有されるリソースの集合がプロトコルで指定されたリソースの集合に対してオフセットがあると判断する。端末に、基地局からの通知に基づいて前記端末に対応するダウンリンクリソース集合の特定の位置を決定するように、基地局は、前記プロトコルで指定されたリソースの集合に対してオフセットを有することを示すメッセージを、端末に通知する。
【０１８８】
第３の場合では、前記基地局が、ダウンリンク制御チャネルを送信するために前記基地局によって占有されるリソースの集合（ここで、前記リソースの集合は、周波数領域リソースおよび/または時間領域リソースの集合を指す）の位置を独自に決定した場合、基地局からの通知に基づいて、前記端末に対応するダウンリンクリソースの集合の特定の位置を決定するように、基地局は、自身で決定したリソースの集合の位置のメッセージを端末に通知する。
【０１８９】
このようにして、基地局は、基地局によって決定されたリソースの集合上で対応するダウンリンク制御チャネルを送信でき、端末は、また、端末に対応するリソースの集合の特定の位置を取得できる。前記端末は、前記端末に対応するリソースの集合上で前記端末に対応するダウンリンク制御チャネルを受信することができるようになる。端末内の第１の取得モジュール及び第２の取得モジュールは、複数の方法で前記端末に対応するダウンリンク制御チャネルリソースの集合の時間領域位置および周波数領域位置を決定することができる。端末に対応するダウンリンク制御チャネルリソースの集合の時間および周波数位置は、ダウンリンク制御チャネルリソースの第１の集合を介して送信される異なるダウンリンク制御チャネルに依存する以下のいくつかの特定の実施で送信され得る。
【０１９０】
前記第１のダウンリンク制御チャネルリソースの集合は、共通のダウンリンク制御チャネルを送信するためのダウンリンク制御チャネルの第１サブ集合であり、および/または前記第１のダウンリンク制御チャネルリソースの集合は、端末がモバイル通信ネットワークに初めてアクセスするときに、端末固有のダウンリンク制御チャネルの送信に用いられる場合、前記端末に対応するダウンリンク制御チャネルリソースの集合の時間領域位置および周波数領域位置を決定する。前記第１の情報はＭＩＢ情報またはＳＩ情報であり、端末は、ＭＩＢ情報またはＳＩ情報に含まれる関連の情報に基づいて、前記端末に対応するダウンリンク制御チャネルリソースの集合の周波数領域位置および/または時間領域位置を取得することができる。以下、ＭＩＢ情報を例とするが、ＭＩＢ情報またはＳＩ情報に限定されない。
【０１９１】
前記第１のダウンリンク制御チャネルリソースの集合は、ダウンリンク制御リソースの第２のサブ集合であり、端末固有のダウンリンク制御チャネルの伝送に用いられる。前記第１の情報は上位層シグナリングであり、端末は、上位層シグナリングに含まれる関連の情報に基づいて、前記端末に対応するダウンリンク制御チャネルリソースの集合の周波数領域位置および/または時間領域位置を取得することができる。
【０１９２】
前記第１のダウンリンク制御チャネルリソースの集合が前記第１のダウンリンク制御チャネルのサブ集合であると、端末において、以下のように、前記端末に対応するダウンリンク制御チャネルリソースの集合的時間領域位置和周波数領域位置を決定する。ここで、第１の場合としては、
【０１９３】
前記第１の取得モジュール１０１は、第１の取得サブモジュールまたは第２の取得サブモジュールを含む。
【０１９４】
例えば、１００ＭＨｚのダウンリンク送信帯域幅があるため、周波数領域には５００個の周波数リソースエレメントがある。ダウンリンク制御チャネルの第１のサブ集合の第１の周波数領域位置のプリセットされた情報は、ＰＢＣＨおよび/またはＰＳＳおよび/またはＳＳＳに占有された第４の周波数領域位置に関する情報である。
【０１９５】
例えば、基地局は、ダウンリンク送信帯域幅で端末と合意したＹ ＭＨｚ帯域幅でＰＢＣＨおよび／またはＰＳＳおよび／またはＳＳＳを送信し、例えば、Y=５である。端末内の第１の取得サブモジュールは、前記ＰＢＣＨおよび/またはＰＳＳおよび/またはＳＳＳが送信されるＹ ＭＨｚ帯域幅に占有された第４の周波数領域位置が前記端末に対応するダウンリンク制御チャネルリソースの集合の第３の周波数領域位置であるとみなす。即ち、前記ＰＢＣＨおよび/またはＰＳＳおよび/またはＳＳＳが送信されるＹ ＭＨｚ帯域幅は、前記端末に対応するダウンリンク制御チャネルリソースの集合の周波数領域リソースの集合である。当該周波数領域リソースの集合において、共通のダウンリンク制御チャネルを受信するか、初めてアクセスしたときスケジューリングＲＲＣ シグナリングを介して送信される端末固有の（ＵＥ-ｓｐｅｃｉｆｉｃ）ダウンリンク制御チャネルを受信するか、または、前記第３の周波数領域位置に対応する周波数領域リソースの集合において伝送すべき他のダウンリンク制御チャネルを受信する。
【０１９６】
または、前記第１の周波数領域位置のプリセットされた情報を、ＰＢＣＨおよび/またはＰＳＳおよび/またはＳＳＳに占有された第４の周波数領域位置から第１のプリセットされたオフセット値の分をシフトすることを示す情報として事前定義する場合、第２の取得サブモジュールは、前記第４の周波数領域位置および前記第１のプリセットされたオフセット値に基づいて、前記端末に対応するダウンリンク制御チャネルリソースの集合を決定するための第３の周波数領域位置を取得する。例えば、前記第３の周波数領域位置は、ＰＢＣＨおよび/またはＰＳＳおよび/またはＳＳＳに占有された第４の周波数領域位置から第１のプリセットされたオフセット値の分にシフトされた後の周波数領域位置である。
【０１９７】
ここで、ダウンリンク制御チャネルリソースの第１のサブ集合に占有された時間領域リソースは、ＭＩＢで通知されるか、プロトコルで事前定義される。具体的に、例えば、基地局は、端末にＭＩＢ情報を送信する。前記ＭＩＢ情報には、前記ダウンリンク制御チャネルリソースの第１のサブ集合の第２の時間領域位置指示情報が含まれる。端末内の第１の取得モジュールにおける第７の取得サブモジュールは、前記第２の時間領域位置指示情報を取得することに用いられ、前記第２の時間領域位置指示情報は、前記端末に対応するダウンリンク制御チャネルリソースの集合の時間領域位置を示す。端末内の第１の取得モジュールにおける第８の取得サブモジュールは、前記第２の時間領域位置指示情報に基づいて前記端末に対応するダウンリンク制御チャネルリソースの集合の第３の時間領域位置を取得することができる。
【０１９８】
または、端末内の第１の取得モジュールにおける第９の取得サブモジュールは、ダウンリンク制御チャネルリソースの第１のサブ集合の第１の時間領域位置のプリセットされたサイズおよび第１の時間領域位置のプリセットされた開始位置に基づいて、端末に対応するダウンリンク制御チャネルリソースの集合の第３の時間領域位置を取得することができる。
【０１９９】
第２の場合では、前記端末内の第１の取得モジュールは、第３の取得サブモジュールおよび第４の取得サブモジュールを含む。
【０２００】
具体的に、例えば、１００ＭＨｚのダウンリンク送信帯域幅があるため、周波数領域には５００個の周波数リソースエレメントがある。例えば、ダウンリンク制御チャネルの第１のサブ集合の第１の周波数領域位置のプリセットされた情報を、ＰＢＣＨおよび/またはＰＳＳおよび/またはＳＳＳに占有された第４の周波数領域位置として事前定義し、第２の周波数領域位置指示情報は、前記第４の周波数領域位置から第２のオフセット値の分をシフトすることを示す指示情報である。
【０２０１】
基地局は、ダウンリンク送信帯域幅の、端末と合意したＹ ＭＨｚ帯域幅でＰＢＣＨおよび/またはＰＳＳおよび/またはＳＳＳを伝送し、例えば、Ｙ=５である。端末内の第３の取得サブモジュールは、受信した基地局からの前記第１のダウンリンク制御チャネルリソースの集合の第２の周波数領域位置指示情報が含まれる第１の情報に基づいて、前記第２の周波数領域位置指示情報を取得する。端末内の第４の取得サブモジュールは、前記第４の周波数領域位置および第２のオフセット値に基づいて、前記端末に対応するダウンリンク制御チャネルリソースの集合の周波数領域リソースの開始位置を決定する。前記第２のオフセット値は、ＭＩＢによって通知されるか、事前定義されたオフセット値Ｒ１である。ここで、前記第２の取得サブモジュールは、前記第４の周波数領域位置および前記第１のプリセットされたオフセット値に基づく。
【０２０２】
前記端末に対応するダウンリンク制御チャネルリソースの集合のサイズは、ＭＩＢによって通知されるか、または、ＰＢＣＨおよび/またはＰＳＳおよび/またはＳＳＳに占有された帯域幅と同様である。上記第２のオフセット値，および前記端末に対応するダウンリンク制御チャネルリソースの集合の周波数領域リソースサイズに基づいて、前記端末に対応するダウンリンク制御チャネルリソースの集合の第３の周波数領域位置を決定する。
【０２０３】
同様に、端末に対応するダウンリンク制御チャネルリソースの集合に占有された時間領域リソースに対応する第３の時間領域位置は、ＭＩＢで通知されるか、事前定義される。
【０２０４】
第３の場合では、前記第１の取得モジュールは、第５の取得サブモジュールおよび第６の取得サブモジュールを含む。
【０２０５】
例えば、１００ＭＨｚのダウンリンク送信帯域幅があるため、周波数領域には５００個の周波数リソースエレメントがある。例えば、基地局は、ダウンリンク制御チャネルリソースの第１のサブ集合のリソース粒度がN個の周波数リソースエレメントであることを端末に通知する。基地局は、ＭＩＢにＰ ｂｉｔの第２の周波数領域位置指示情報を含くませて、端末に対応するダウンリンク制御チャネルリソースの集合に占有された周波数領域リソースの第３の周波数領域位置を示す必要があり、以下の方式で、対応するダウンリンク制御チャネルリソースの集合に占有された周波数領域リソースの第３の周波数領域位置を端末に通知するか、これらの方式に限定しない。端末内の第５の取得サブモジュールは、受信した基地局からの前記第１のダウンリンク制御チャネルリソースの集合の第２の周波数領域位置指示情報が含まれるＭＩＢ情報に基づいて、前記Ｐ ｂｉｔの第２の周波数領域位置指示情報を取得する。ここで、前記Pのサイズは特に限定することなく以下の２つの方式で決定できる。
【０２０６】
第１の方式：例えば、前記Ｎ=５０であり、合計で５００個の周波数領域リソースエレメントがあり、リソース粒度は５０であるため、１ｂｉｔは１つのリソースエレメントを示し、５００/５０=１０ｂｉｔであるため、前記端末に対応するダウンリンク制御チャネルリソースの集合に占有された周波数領域リソースの第３の周波数領域位置は、P=１０ｂｉｔで通知される。ここで、あるいは、示される最大帯域幅または別のプリセットされた帯域幅などに基づいて、前記P的サイズを決定する。
【０２０７】
第２の方式：例えば、Ｎ=１０であるため、ceil（log２（Q*（Q+１）/２））=ceil（log２（５０*（５０+１）/２））=１１ｂｉｔの方式で、前記端末に対応するダウンリンク制御チャネルリソースの集合に占有された周波数領域リソースの第３の周波数領域位置を通知することができる。ここで、Qは、ダウンリンク送信帯域幅に含まれるリソース粒度の数である。
【０２０８】
端末は、ＭＩＢ情報を受信した後、ＭＩＢ情報のＰ ｂｉｔ指示情報フィールドに従う。端末内の第６の取得サブモジュールは、前記端末に対応するダウンリンク制御チャネルリソースの集合に占有された周波数領域リソースの第３の周波数領域位置を決定する。また、前記第３の周波数領域位置に対応する周波数領域リソースの集合において、共通のダウンリンク制御チャネルを受信するか、または、初めてアクセスしたときのスケジューリングＲＲＣ シグナリングを介して送信される端末固有の（ＵＥ-ｓｐｅｃｉｆｉｃ）ダウンリンク制御チャネルを受信するか、または、前記第３の周波数領域位置に対応する周波数領域リソースの集合において送信すべきダウンリンク制御チャネルを受信する。さらに、ＭＩＢによって示された前記第３の周波数領域位置に対応する周波数領域リソースの集合は、周波数領域で連続的または離散的であり、図４および/または図５に示すとおりである。
【０２０９】
同様に、端末に対応するダウンリンク制御チャネルリソースの集合に占有された時間領域リソースに対応する第３の時間領域位置は、ＭＩＢで通知されるか、事前定義される。
【０２１０】
前記第１のダウンリンク制御チャネルリソースの集合が前記ダウンリンク制御チャネルの第２のサブ集合である場合、前記第１の情報は上位層シグナリングであり、端末において、以下のように、前記端末に対応するダウンリンク制御チャネルリソースの集合的時間領域位置和周波数領域位置を決定する。ここで、第４の場合では、
【０２１１】
端末は、第１０の取得サブモジュールを含む。例えば、１００ＭＨｚのダウンリンク送信帯域幅があるため、周波数領域には５００個の周波数リソースエレメントがある。端末がリッスンする周波数リソースの位置は事前に定義されている。具体的に、ダウンリンク制御チャネルリソースの第２のサブ集合の第１の周波数領域位置のプリセットされたサイズおよび第１の周波数領域位置のプリセットされた開始位置を事前に定義する。
【０２１２】
例えば、前記ダウンリンク制御チャネルリソースの第２のサブ集合は、M*K個の周波数領域リソースエレメントを占有し、ここで、ＭおよびＫは両方ともに１以上の正の整数であり、規格で定義されている。端末は、事前定義で、前記端末に対応するダウンリンク制御チャネルリソースの集合の開始周波数領域位置および占有された周波数領域位置のサイズを取得する。例えば、前記端末に対応するダウンリンク制御チャネルリソースの集合の開始周波数領域位置および前記第１の周波数領域位置のプリセットされた開始位置を取得する。前記端末に対応するダウンリンク制御チャネルリソースの集合に占有された周波数領域位置のサイズは、前記第１の周波数領域位置のプリセットされたサイズと同様である。
【０２１３】
前記第１０の取得サブモジュールは、ダウンリンク制御チャネルリソースの第２のサブ集合の第１の周波数領域位置のプリセットされた開始位置を決定し、前記事前定義された方式は、以下のような方式があるが、これらに限定しない。
【０２１４】
端末は、自身のＲＮＴＩに基づいて、ダウンリンク帯域幅内の端末に対応するダウンリンク制御チャネルリソースの第２のサブ集合の開始周波数領域位置を決定する。
【０２１５】
前記端末に対応するダウンリンク制御チャネルリソースの集合に占有された時間領域リソースは、上位層シグナリングを介して明示的に通知されるか、またはプロトコルで事前定義される。具体的に、例えば、
【０２１６】
前記第２の取得モジュールに含まれる第１５の取得サブモジュールは、ダウンリンク制御チャネルリソースの第２のサブ集合の第１の時間領域位置のプリセットされたサイズおよび第１の時間領域位置のプリセットされた開始位置に基づいて、前記端末に対応するダウンリンク制御チャネルリソースの集合の第３の時間領域位置を取得することができる。
【０２１７】
または、前記第２の取得モジュールは、第１６の取得サブモジュールおよび第１７の取得サブモジュールを含む。基地局は、端末に上位層シグナリングを送信し、前記第１６の取得サブモジュールは、前記上位層シグナリングに含まれる前記ダウンリンク制御チャネルリソースの第２のサブ集合の第２の時間領域位置指示情報を取得する。前記第２の時間領域位置指示情報は、前記端末に対応するダウンリンク制御チャネルリソースの集合の時間領域位置を示す指示情報である。前記第１７の取得サブモジュールは、前記第２の時間領域位置指示情報に基づいて、前記端末に対応するダウンリンク制御チャネルリソースの集合の第３の時間領域位置を取得することができる。
【０２１８】
第５のでは、前記端末の第１の取得モジュールは、第１１の取得サブモジュールおよび第１２の取得サブモジュールを含む。
【０２１９】
例えば、１００ＭＨｚのダウンリンク送信帯域幅があるため、周波数領域には５００個の周波数リソースエレメントがある。端末は、上位層シグナリング（例えば、ＲＲＣ ｓｉｇｎａｌｉｎｇ）に含まれるダウンリンク制御チャネルリソースの第２のサブ集合の第２の周波数領域位置指示情報により、端末に対応するダウンリンク制御チャネルリソースの集合に占有された周波数領域リソースの第３の周波数領域位置を示し、即ち、端末内の第１１の取得サブモジュールサブモジュールは、前記第２の周波数領域位置指示情報を取得し、前記第２の周波数領域位置指示情報は、前記端末に対応するダウンリンク制御チャネルリソースの集合の周波数領域位置を示す指示情報であり、このようにして、端末は、リッスンすべき周波数領域リソース位置を取得する。前記第２の周波数領域位置指示情報は、Ｐ ｂｉｔの指示情報で示される。前記Ｐ ｂｉｔ指示情報は、以下の実施で解析できるが、これに限定されていない。
【０２２０】
第１の方式：Ｐ ｂｉｔ指示情報は、前記端末に対応するダウンリンク制御チャネルリソースの集合の開始周波数領域位置および占有された周波数領域リソースサイズを示す。
【０２２１】
第２の方式：Ｐ ｂｉｔ指示情報は、前記端末に対応するダウンリンク制御チャネルリソースの集合の具体的な周波数領域リソースの第３の周波数領域位置を示し、例えば、Ｐ ｂｉｔ指示情報は、前記端末に対応するダウンリンク制御チャネルリソースの集合に占有された周波数領域リソースエレメントに対応するエレメントインデックスまたは占有された周波数領域リソースのエレメントグループに対応するエレメントグループインデックスを示す指示情報である。
【０２２２】
ここで、前記Pのサイズは特に限定することなく以下の２つの方式で決定できる。
【０２２３】
第１の方式：例えば、前記Ｎ=５０であり、合計で５００個の周波数領域リソースエレメントがあり、リソース粒度は５０であるため、１ｂｉｔは１つのリソースエレメントを示し、５００/５０=１０ｂｉｔであるため、前記端末に対応するダウンリンク制御チャネルリソースの集合に占有された周波数領域リソースの第３の周波数領域位置は、P=１０ｂｉｔで通知される。ここで、あるいは、示される最大帯域幅または別のプリセットされた帯域幅などに基づいて、前記P的サイズを決定する。
【０２２４】
第２の方式：例えば、Ｎ=１０であるため、ceil（log２（Q*（Q+１）/２））=ceil（log２（５０*（５０+１）/２））=１１ｂｉｔの方式で、前記端末に対応するダウンリンク制御チャネルリソースの集合に占有された周波数領域リソースの第３の周波数領域位置を通知することができる。ここで、Qは、ダウンリンク送信帯域幅に含まれるリソース粒度の数である。
【０２２５】
Ｐ ｂｉｔ指示情報は、端末に対応するダウンリンク制御チャネルリソースの集合の具体的な周波数領域リソースのリソース粒度がK個のRBであることを示し、Kは、１より大きいか等しい正の整数である。示された、端末に対応するダウンリンク制御チャネルリソースの集合の具体的な周波数領域リソースは、周波数領域で連続的または離散的である。端末内の第１２の取得サブモジュールサブモジュールは、受信したＰ ｂｉｔ指示情報に基づいて、端末に対応するダウンリンク制御チャネルリソースの集合の具体的な周波数領域リソースの第３の周波数領域位置を取得し、前記リソースの集合においてデータ伝送をスケジューリングするダウンリンク制御チャネルリソースを受信する。図６または図７に示すように、例えば、基地局は、上位層シグナリングを介して、端末に対して、前記端末に対応するダウンリンク制御チャネルリソースの集合の第３の周波数領域位置を設定する。上位層シグナリングを介して設定された前記第３の周波数領域位置に対応する周波数領域リソースの集合は、周波数領域で連続的または離散的であり、１つの上位層シグナリング周期内に、端末は、上位層シグナリングによりしめされたリソース位置でダウンリンクデータ伝送をスケジューリングするダウンリンク制御チャネルを受信する。
【０２２６】
同様に、前記端末に対応するダウンリンク制御チャネルリソースの集合に占有された時間領域リソースは、上位層シグナリングを介して明示的に通知されるか、またはプロトコルで事前定義される。
【０２２７】
第６の場合では、前記端末内の第１の取得モジュールは、第１３の取得サブモジュールおよび第１４の取得サブモジュールを含む。
【０２２８】
例えば、１００ＭＨｚのダウンリンク送信帯域幅があるため、周波数領域には５００個の周波数リソースエレメントがある。端末は、上位層シグナリング、例えば、ＲＲＣ シグナリング（ＲＲＣシグナリングに限られない）に含まれるダウンリンク制御チャネルリソースの第２のサブ集合の第２の周波数領域位置指示情報および事前定義された方式により、前記第１３の取得サブモジュール前記第２の周波数領域位置指示情報を取得し、前記第１４の取得サブモジュールは、前記指示情報および事前定義された情報に基づいて、端末リッスンすべき周波数領域リソース位置を決定する。
【０２２９】
前記ＲＲＣ シグナリングに含まれる第２の周波数領域位置指示情報は、Ｐ ｂｉｔで構成され、ダウンリンク帯域幅における、前記端末に対応するダウンリンク制御チャネルリソースの集合に占有された第３の周波数領域位置のサイズを示す。前記事前定義された方式は、以下の方式を有するが、これらに限られない。
【０２３０】
端末は、自身のＲＮＴＩで、ダウンリンク帯域幅における、対応するダウンリンク制御チャネルリソースの集合の開始位置を決定する。
【０２３１】
端末内の前記第１４の取得サブモジュールは、ＲＲＣ シグナリングにより通知された前記端末に対応するダウンリンク制御チャネルリソースの集合の、ダウンリンク帯域幅において占有された第３の周波数領域位置のサイズおよび自身のＲＮＴＩに対応するダウンリンク制御チャネルリソースの集合の、ダウンリンク帯域幅内の開始位置に基づいて、前記端末に対応するダウンリンク制御チャネルリソースの集合の、ダウンリンク帯域幅上の具体的な周波数領域位置を取得し、前記リソースの集合において、データ伝送をスケジューリングするダウンリンク制御チャネルを受信する。図８に示すように、たとえば、基地局は各タイムスロットで２つの端末、つまり端末１と端末２をスケジュールし、図８は２つのダウンリンク制御チャネルリソースの集合の概略図を示す。上位層シグナリングを介して端末１および端末２に設定されたダウンリンク制御チャネルリソースの第２のサブ集合の周波数領域サイズは、それぞれM１およびM２であり、M１>M２である。端末１および端末２それぞれは、自身のＲＮＴＩに基づいて、前記端末に対応するダウンリンク制御チャネルリソースの集合の、周波数領域上の開始位置を決定する。図８に示すように、端末１および端末２は、上位層シグナリングにより通知されたリソースの集合サイズ及び自身のＲＮＴＩで決定された開始位置に基づいて、１つの上位層シグナリング周期内に、２つの端末は、前記決定されたリソース位置で、ダウンリンクデータ伝送をスケジューリングするダウンリンク制御チャネルを受信する。
【０２３２】
同様に、前記端末に対応するダウンリンク制御チャネルリソースの集合に占有された時間領域リソースは、上位層シグナリングを介して明示的に通知されるか、またはプロトコルで事前定義される。
【０２３３】
上述したように、端末が前記端末に対応するダウンリンク制御チャネルリソースの集合を第３のダウンリンク制御チャネルリソースの集合として決定する前に、基地局は、前記基地局がダウンリンク制御チャネルリソースの集合を送信するのに占有されるリソース位置を決定した。したがって、基地局は、前記基地局によって決定されたリソースの集合において、対応のダウンリンク制御チャネルを送信する。これに応じて、端末は、前記端末に対応するリソースの集合において、前記端末に対応するダウンリンク制御チャネルを受信する。
【０２３４】
本発明の実施形態４による基地局は、
前記端末に、前記第１の情報に基づいて、前記端末に対応するダウンリンク制御チャネルリソースの集合の第２の周波数領域位置を決定するための第２の周波数領域位置指示情報を取得するように、第１のダウンリンク制御チャネルリソースの集合の第２の周波数領域位置指示情報が含まれる第１の情報を端末に送信するための、第１の送信モジュールを備える。
【０２３５】
および/または、第１の送信モジュールは、前記端末に、前記第１の情報に基づいて、前記端末に対応するダウンリンク制御チャネルリソースの集合の第２の時間領域位置を決定するための第２の時間領域位置指示情報を取得するように、前記第１のダウンリンク制御チャネルリソースの集合の第２の時間領域位置指示情報が含まれる前記第１の情報を端末に送信する。
【０２３６】
ここで、端末に対応するダウンリンク制御チャネルリソースの集合の時間および周波数位置は、ダウンリンク制御チャネルリソースの第１の集合を介して送信される異なるダウンリンク制御チャネルに依存する以下のいくつかの特定の実施で送信され得る。
【０２３７】
前記第１のダウンリンク制御チャネルリソースの集合は、ダウンリンク制御チャネルの第１のサブ集合であり、共通のダウンリンク制御チャネルリソースの集合の伝送に用いられる。および/または前記第１のダウンリンク制御チャネルリソースの集合は、端末がモバイル通信ネットワークに初めてアクセスするときに、端末固有のダウンリンク制御チャネルリソースの集合の送信に用いられる。前記第１の情報はＭＩＢ情報またはＳＩ情報であり、基地局は、端末にＭＩＢ情報またはＳＩ情報に含まれる関連の情報を送信することにより、前記端末に、前記端末に対応するダウンリンク制御チャネルリソースの集合の第３の周波数領域/時間領域位置を決定するための第２の周波数領域/時間領域位置指示情報を取得できるようにする。以下、ＭＩＢ情報を例とするが、ＭＩＢ情報またはＳＩ情報に限定されない。
【０２３８】
前記第１のダウンリンク制御チャネルリソースの集合は、ダウンリンク制御リソースの第２のサブ集合であり、端末固有のダウンリンク制御チャネルの伝送に用いられる。前記第１の情報は上位層シグナリングであり、基地局は、端末に、上位層シグナリングに含まれる関連の情報を送信することにより、前記端末に、前記端末に対応するダウンリンク制御チャネルリソースの集合の第３の周波数領域/時間領域位置を決定するための第２の周波数領域/時間領域位置指示情報を取得できるようにする。
【０２３９】
前記第１のダウンリンク制御チャネルリソースの集合がダウンリンク制御チャネルの第１のサブ集合である場合、
前記第２の周波数領域位置指示情報は、以下の２つあるが、これらに限られない。
【０２４０】
前記第２の周波数領域位置指示情報は、前記第２の周波数領域位置の周波数領域位置を直接に示す。
【０２４１】
または、前記端末に対応する第１のプリセットされた周波数領域位置が事前定義されると、前記第２の周波数領域位置指示情報は、前記第２の周波数領域位置が、前記第１のプリセットされた周波数領域位置から第１のプリセットされたオフセット値の分にシフトされた後の周波数領域位置であることを示す。
【０２４２】
前記第２の時間領域位置指示情報は、前記第２の時間領域位置の周波数領域位置を直接に示す。
【０２４３】
前記第１のダウンリンク制御チャネルリソースの集合が第２の部分ダウンリンク制御チャネル集合である場合、
前記第２の周波数領域位置指示情報は、以下の２つあるが、これらに限られない。
【０２４４】
前記第２の周波数領域位置指示情報は、前記第２の周波数領域位置に対応する周波数領域位置を直接に示す。
【０２４５】
または、前記端末に対応する第１のプリセットされた開始周波数領域位置が事前定義されると、前記第２の周波数領域位置指示情報は、前記第２の周波数領域位置に占有された周波数領域位置のサイズを示す。
【０２４６】
前記第２の時間領域位置指示情報は、前記第２の時間領域位置の周波数領域位置を直接に示す。
【０２４７】
前記端末が基地局からの第２の周波数領域/時間領域位置指示情報を取得した後、端末は、前記第２の周波数領域位置指示情報および/または事前定義された第１の周波数領域位置のプリセットされた情報に基づいて、前記端末に対応するダウンリンク制御チャネルリソースの集合の第３の周波数領域位置を決定して取得する。端末は、前記第２の時間領域位置指示情報および/または事前定義された第１の時間領域位置のプリセットされた情報に基づいて、前記端末に対応するダウンリンク制御チャネルリソースの集合の第３の時間領域位置を決定して取得する。端末は、前記第３の周波数領域位置および前記第３の時間領域位置に基づいて、前記端末に対応するダウンリンク制御チャネルリソースの集合を第３のダウンリンク制御チャネルリソースの集合として決定する。
【０２４８】
基地局は、前記端末に対応するダウンリンク制御チャネルリソースの集合において、対応のダウンリンク制御チャネルを送信する。
【０２４９】
上記の場合、例えば、ダウンリンク制御チャネルリソースの集合の位置は、通信プロトコルで指定されており、基地局および端末の両方によって遵守されるため、基地局は、プロトコルで指定された時間領域周波数領域リソースの集合の位置情報に基づいてダウンリンク制御チャネルを送信するために基地局によって占有されたリソースの集合を決定した。この時点で、前記リソースの集合がプロトコルで指定され、変更されていない場合、基地局は端末に通知しないため、端末は、プロトコルで指定されたリソースの集合に基づいて、リソースの集合の特定の位置を独自に決定できる（ここで、前記リソースの集合は、周波数領域リソースおよび/または時間領域リソースの集合を指す）。
【０２５０】
前記基地局が、プロトコルで指定された時間領域周波数領域リソースの集合の位置情報に基づいて、ダウンリンク制御チャネルを送信するために前記基地局によって占有されるリソースの集合（ここで、前記リソースの集合は、周波数領域リソースおよび/または時間領域リソースの集合を指す）を新たに決定する場合、例えば、基地局は、ダウンリンク制御チャネルを送信するために前記基地局によって占有されるリソースの集合がプロトコルで指定されたリソースの集合に対してオフセットがあると判断する。端末に、基地局からの通知に基づいて前記端末に対応するダウンリンクリソース集合の特定の位置を決定するように、基地局は、前記プロトコルで指定されたリソースの集合に対してオフセットを有することを示すメッセージを、端末に通知する。
【０２５１】
前記基地局が、ダウンリンク制御チャネルを送信するために前記基地局によって占有されるリソースの集合（ここで、前記リソースの集合は、周波数領域リソースおよび/または時間領域リソースの集合を指す）の位置を独自に決定した場合、基地局からの通知に基づいて、前記端末に対応するダウンリンクリソースの集合の特定の位置を決定するように、基地局は、自身で決定したリソースの集合の位置のメッセージを端末に通知する。
【０２５２】
このようにして、基地局は、基地局によって決定されたリソースの集合上で対応するダウンリンク制御チャネルを送信でき、端末は、また、端末に対応するリソースの集合の特定の位置を取得できる。前記端末は、前記端末に対応するリソースの集合上で前記端末に対応するダウンリンク制御チャネルを受信することができるようになる。
【０２５３】
図１１に示すように、本発明の一実施形態による別の端末は、プロセッサ１１００と、メモリ１１０１と、送受信機１１０２と、を備える。
【０２５４】
前記プロセッサ１１００は、バスアーキテクチャ及び通常の処理を監視し、前記メモリ１１０１は、プロセッサ１１００が動作する際に利用するデータを記憶することができる。前記送受信機１１０２は、プロセッサ１１００の制御下でデータを送信および受信するように構成される。
【０２５５】
バスアーキテクチャは、いずれ数の相互接続するバス及びブリッジを備える。具体的に、プロセッサ１１００によって表される１つまたは複数のプロセッサ、およびメモリ１１０１によって表される１つまたは複数のメモリを含む様々な回路の接続によって構成される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。プロセッサ１１００は、バスアーキテクチャ及び通常の処理を監視し、メモリ１１０１は、プロセッサ１１００が動作する際に利用するデータを記憶することができる。
【０２５６】
本発明の実施形態によるフローは、プロセッサ１１００に適用可能であるか、プロセッサ１１００によって実行されることができる。実行において、フローのそれぞれのステップは、１１００内のハードウェアの集積論理回路またはソフトウェアの命令によって実行できる。プロセッサ１１００は、汎用プロセッサ、デジタル信号プロセッサ、特定用途向け集積回路、フィールドプログラマブルゲートアレイ、または別のプログラマブルロジックデバイス、ディスクリートゲート、トランジスタロジックデバイス、またはディスクリートであり得る。発明の実施形態で開示されるそれぞれの方法、ステップ、および論理ブロック図は、実装または実行することができる。汎用プロセッサは、マイクロプロセッサ、または任意の従来のプロセッサなどとすることができる。本発明の実施形態による方法のステップは、ハードウェアプロセッサによって直接実行するか、ハードウェアとソフトウェアの組み合わせによって実行することができる。ソフトウェアモジュールは、ランダムメモリ、フラッシュメモリ、読み取り専用メモリ、プログラム可能な読み取り専用メモリ、電気的に消去およびプログラム可能なメモリ、レジスタ、または当技術分野で知られている別の記憶媒体に配置することができる。当該記憶媒体はメモリ１１０１に配置され、プロセッサ１１００は、メモリ１１０１情報を読み取り、そのハードウェアでフローのステップを実行する。
【０２５７】
前記プロセッサ１１００は、メモリ１１０１内のプログラムを読み出して以下のように実行するように構成される。
【０２５８】
前記プロセッサ１１００は、事前定義された第１のダウンリンク制御チャネルリソースの集合の第１の周波数領域位置のプリセットされた情報および/または受信した基地局からの前記第１のダウンリンク制御チャネルリソースの集合の第２の周波数領域位置指示情報が含まれる第１の情報に基づいて、前記端末に対応するダウンリンク制御チャネルリソースの集合を決定するための第３の周波数領域位置を取得する。
【０２５９】
事前定義された前記第１のダウンリンク制御チャネルリソースの集合の第１の時間領域位置のプリセットされた情報または受信された基地局からの前記第１のダウンリンク制御チャネルリソースの集合の第２の時間領域位置指示情報が含まれる前記第１の情報に基づいて、前記端末に対応するダウンリンク制御チャネルリソースの集合を決定するための第３の時間領域位置を取得する。
【０２６０】
前記第３の周波数領域位置および前記第３の時間領域位置に基づいて、前記端末に対応するダウンリンク制御チャネルリソースの集合を第３のダウンリンク制御チャネルリソースの集合として決定する。
【０２６１】
選択的に、前記第１の情報はＭＩＢ情報またはＳＩ情報である。
【０２６２】
前記第１のダウンリンク制御チャネルリソースの集合は、共通のダウンリンク制御チャネルの送信に用いられ、および/または前記第１のダウンリンク制御チャネルリソースの集合は、端末がモバイル通信ネットワークに初めてアクセスするときに、端末固有のダウンリンク制御チャネルの送信に用いられる。
【０２６３】
選択的に、前記第１の周波数領域位置のプリセットされた情報がＰＢＣＨおよび/またはＰＳＳおよび/またはＳＳＳに占有された第４の周波数領域位置であると、前記プロセッサ１１００は、前記第４の周波数領域位置に基づいて、前記端末に対応するダウンリンク制御チャネルリソースの集合を決定するための第３の周波数領域位置を取得する。
【０２６４】
選択的に、前記第１の周波数領域位置のプリセットされた情報がＰＢＣＨおよび/またはＰＳＳおよび/またはＳＳＳに占有された第４の周波数領域位置から第１のプリセットされたオフセット値の分をシフトすることを示す指示情報であると、前記プロセッサ１１００は、前記第４の周波数領域位置および前記第１のプリセットされたオフセット値に基づいて、前記端末に対応するダウンリンク制御チャネルリソースの集合を決定するための第３の周波数領域位置を取得する。
【０２６５】
選択的に、前記第１の周波数領域位置のプリセットされた情報がＰＢＣＨおよび/またはＰＳＳおよび/またはＳＳＳに占有された第４の周波数領域位置であると、前記プロセッサ１１００は、受信した基地局からの前記第１のダウンリンク制御チャネルリソースの集合の第２の周波数領域位置指示情報が含まれる第１の情報に基づいて、前記第２の周波数領域位置指示情報を取得する。
【０２６６】
前記第２の周波数領域位置指示情報は、前記第４の周波数領域位置から第２のオフセット値の分をシフトすることを示す指示情報である。
【０２６７】
前記第４の周波数領域位置および前記第２のオフセット値に基づいて、前記端末に対応するダウンリンク制御チャネルリソースの集合を決定するための第３の周波数領域位置を取得する。
【０２６８】
選択的に、前記プロセッサ１１００は、受信した基地局からの前記第１のダウンリンク制御チャネルリソースの集合の第２の周波数領域位置指示情報が含まれる第１の情報に基づいて、前記第２の周波数領域位置指示情報を取得する。前記第２の周波数領域位置指示情報は、前記端末に対応するダウンリンク制御チャネルリソースの集合の周波数領域位置を示す指示情報である。
【０２６９】
前記第２の周波数領域位置指示情報に基づいて、前記端末に対応するダウンリンク制御チャネルリソースの集合を決定するための第３の周波数領域位置を取得する。
【０２７０】
選択的に、前記プロセッサ１１００は、受信された基地局からの前記第１のダウンリンク制御チャネルリソースの集合の第２の時間領域位置指示情報が含まれる前記第１の情報に基づいて、前記第２の時間領域位置指示情報を取得する。前記第２の時間領域位置指示情報は、前記端末に対応するダウンリンク制御チャネルリソースの集合の時間領域位置を示す指示情報である。
【０２７１】
前記第２の時間領域位置指示情報に基づいて、前記端末に対応するダウンリンク制御チャネルリソースの集合を決定するための第３の時間領域位置を取得する。
【０２７２】
選択的に、前記プロセッサ１１００は、事前定義された第１のダウンリンク制御チャネルリソースの集合の第１の時間領域位置のプリセットされたサイズおよび第１の時間領域位置のプリセットされた開始位置に基づいて、前記端末に対応するダウンリンク制御チャネルリソースの集合を決定するための第３の時間領域位置を取得する。
【０２７３】
選択的に、前記第１の情報は上位層シグナリングである。
【０２７４】
前記第１のダウンリンク制御チャネルリソースの集合は、端末固有のダウンリンク制御チャネルの送信に用いられる。
【０２７５】
選択的に、前記プロセッサ１１００は、事前定義された第１のダウンリンク制御チャネルリソースの集合の第１の周波数領域位置のプリセットされたサイズおよび第１の周波数領域位置のプリセットされた開始位置に基づいて、前記端末に対応するダウンリンク制御チャネルリソースの集合を決定するための第３の周波数領域位置を取得する。
【０２７６】
選択的に、前記プロセッサ１１００は、受信した基地局からの前記第１のダウンリンク制御チャネルリソースの集合の第２の周波数領域位置指示情報が含まれる前記第１の情報に基づいて、第２の周波数領域位置指示情報を取得する。前記第２の周波数領域位置指示情報は、前記端末に対応するダウンリンク制御チャネルリソースの集合の周波数領域位置を示す指示情報である。
【０２７７】
前記第２の周波数領域位置指示情報に基づいて、前記端末に対応するダウンリンク制御チャネルリソースの集合を決定するための第３の周波数領域位置を取得する。
【０２７８】
選択的に、前記第２の周波数領域位置指示情報は、前記端末に対応するダウンリンク制御チャネルリソースの集合の開始周波数領域位置および占有された周波数領域リソースサイズを示す指示情報である。
【０２７９】
または、前記第２の周波数領域位置指示情報は、前記端末に対応するダウンリンク制御チャネルリソースの集合に占有された周波数領域リソースエレメントに対応するエレメントインデックスまたは占有された周波数領域リソースのエレメントグループに対応するエレメントグループインデックスを示す指示情報である。
【０２８０】
選択的に、前記第１の周波数領域位置のプリセットされた情報が第１の周波数領域位置のプリセットされた開始位置であると、前記プロセッサ１１００は、受信した基地局からの前記第１のダウンリンク制御チャネルリソースの集合の第２の周波数領域位置指示情報が含まれる前記第１の情報に基づいて、前記第２の周波数領域位置指示情報を取得する。前記第２の周波数領域位置指示情報は、前記第１のダウンリンク制御チャネルリソースの集合に占有された周波数領域位置のサイズを示す。
【０２８１】
前記第１の周波数領域位置のプリセットされた開始位置および前記第１のダウンリンク制御チャネルリソースの集合に占有された周波数領域位置のサイズに基づいて、前記端末に対応するダウンリンク制御チャネルリソースの集合を決定するための第３の周波数領域位置を取得する。
【０２８２】
選択的に、前記プロセッサ１１００は、事前定義された第１のダウンリンク制御チャネルリソースの集合の第１の時間領域位置のプリセットされたサイズおよび第１の時間領域位置のプリセットされた開始位置に基づいて、前記端末に対応するダウンリンク制御チャネルリソースの集合を決定するための第３の時間領域位置を取得する。
【０２８３】
選択的に、前記プロセッサ１１００は、受信された基地局からの前記第１のダウンリンク制御チャネルリソースの集合の第２の時間領域位置指示情報が含まれる前記第１の情報に基づいて、前記第２の時間領域位置指示情報を取得する。前記第２の時間領域位置指示情報は、前記端末に対応するダウンリンク制御チャネルリソースの集合の時間領域位置を示す指示情報である。
【０２８４】
前記第２の時間領域位置指示情報に基づいて、前記端末に対応するダウンリンク制御チャネルリソースの集合を決定するための第３の時間領域位置を取得する。
【０２８５】
図１２に示すように、本発明の実施形態による別の基地局は、プロセッサ１２００と、メモリ１２０１と、送受信機１２０２と、を備える。
【０２８６】
プロセッサ１２００は、バスアーキテクチャ及び通常の処理を監視し、メモリ１２０１は、プロセッサ１２００が動作する際に利用するデータを記憶することができる。送受信機１２０２は、プロセッサ１２００の制御下でデータを送信および受信するように構成される。
【０２８７】
バスアーキテクチャは、いずれ数の相互接続するバス及びブリッジを備える。具体的に、プロセッサ１２００によって表される１つまたは複数のプロセッサ、およびメモリ１２０１によって表される１つまたは複数のメモリを含む様々な回路の接続によって構成される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。プロセッサ１２００は、バスアーキテクチャ及び通常の処理を監視し、メモリ１２０１は、プロセッサ１２００が動作する際に利用するデータを記憶することができる。
【０２８８】
本発明の実施形態によるフローは、プロセッサ１２００に適用可能であるか、プロセッサ１２００によって実行されることができる。実行において、フローのそれぞれのステップは、１２００内のハードウェアの集積論理回路またはソフトウェアの命令によって実行できる。プロセッサ１２００は、汎用プロセッサ、デジタル信号プロセッサ、特定用途向け集積回路、フィールドプログラマブルゲートアレイ、または別のプログラマブルロジックデバイス、ディスクリートゲート、トランジスタロジックデバイス、またはディスクリートであり得る。発明の実施形態で開示されるそれぞれの方法、ステップ、および論理ブロック図は、実装または実行することができる。汎用プロセッサは、マイクロプロセッサ、または任意の従来のプロセッサなどとすることができる。本発明の実施形態による方法のステップは、ハードウェアプロセッサによって直接実行するか、ハードウェアとソフトウェアの組み合わせによって実行することができる。ソフトウェアモジュールは、ランダムメモリ、フラッシュメモリ、読み取り専用メモリ、プログラム可能な読み取り専用メモリ、電気的に消去およびプログラム可能なメモリ、レジスタ、または当技術分野で知られている別の記憶媒体に配置することができる。当該記憶媒体はメモリ１２０１に配置され、プロセッサ１２００は、メモリ１２０１情報を読み取り、そのハードウェアでフローのステップを実行する。
【０２８９】
前記プロセッサ１２００は、メモリ１２０１内のプログラムを読み出して、以下のように実行するように構成される。
【０２９０】
前記プロセッサ１２００は、前記端末に、前記第１の情報に基づいて、前記端末に対応するダウンリンク制御チャネルリソースの集合の第３の周波数領域位置を決定するための第２の周波数領域位置指示情報を取得するように、第１のダウンリンク制御チャネルリソースの集合の第２の周波数領域位置指示情報が含まれる第１の情報を端末に送信する。
【０２９１】
および/または、前記端末に、前記第１の情報に基づいて、前記端末に対応するダウンリンク制御チャネルリソースの集合の第３の時間領域位置を決定するための第２の時間領域位置指示情報を取得するように、前記第１のダウンリンク制御チャネルリソースの集合の第２の時間領域位置指示情報が含まれる前記第１の情報を端末に送信する。
【０２９２】
選択的に、前記第１の情報は、ＭＩＢ情報またはＳＩ情報である。
【０２９３】
前記第１のダウンリンク制御チャネルリソースの集合は、共通のダウンリンク制御チャネルリソースの集合の送信に用いられ、および/または前記第１のダウンリンク制御チャネルリソースの集合は、端末がモバイル通信ネットワークに初めてアクセスするときに、端末固有のダウンリンク制御チャネルリソースの集合の送信に用いられる。
【０２９４】
選択的に、前記第２の周波数領域位置指示情報は、前記第２の周波数領域位置の周波数領域位置を直接に示す。
【０２９５】
または、前記端末に対応する第１のプリセットされた周波数領域位置が事前定義されると、前記第２の周波数領域位置指示情報は、前記第２の周波数領域位置が、前記第１のプリセットされた周波数領域位置から第１のプリセットされたオフセット値の分にシフトされた後の周波数領域位置であることを示す。
【０２９６】
選択的に、前記第２の時間領域位置指示情報は、前記第２の時間領域位置の周波数領域位置を直接に示す。
【０２９７】
選択的に、前記第１の情報は上位層シグナリングである。
【０２９８】
前記第１のダウンリンク制御チャネルリソースの集合は、端末固有のダウンリンク制御チャネルリソースの集合の送信に用いられる。
【０２９９】
選択的に、前記第２の周波数領域位置指示情報は、前記第２の周波数領域位置に対応する周波数領域位置を直接に示す。
【０３００】
または、前記端末に対応する第１のプリセットされた開始周波数領域位置が事前定義されると、前記第２の周波数領域位置指示情報は、前記第２の周波数領域位置に占有された周波数領域位置のサイズを示す。
【０３０１】
選択的に、前記第２の時間領域位置指示情報は、前記第２の時間領域位置の周波数領域位置を直接に示す。
【０３０２】
本発明の一実施形態は、コンピューティングデバイス上で実行されると、コンピューティングデバイスに上記の端末の動作を実行させるように構成されたプログラムコードを格納する可読記憶媒体を提供する。当該可読記憶媒体は不揮発性記憶媒体である。
【０３０３】
本発明の実施形態は、コンピューティングデバイス上で実行されると、コンピューティングデバイスに上記基地局の動作を実行させるように構成されたプログラムコードを格納する可読記憶媒体を提供する。当該可読記憶媒体は不揮発性記憶媒体である。
【０３０４】
本発明の上記の実施形態による技術的解決策には、少なくとも以下の技術的効果または利点がある。端末は、送信帯域幅全体にわたってそのダウンリンク制御チャネルをリッスンすることから解放されることができる。５Ｇシステムにおいて、共通ＰＤＣＣＨ（ｃｏｍｍｏｎ ＰＤＣＣＨ）がダウンリンク制御チャネルリソースの一部を介して送信され、ＵＥ固有のＰＤＣＣＨ（ＵＥ ｓｐｅｃｉｆｉｃ ＰＤＣＣＨ）がダウンリンク制御チャネルリソースの他の部分を介して送信されるという既存の標準の会議で確認された現状に応じて、ダウンリンク制御チャネルリソースの集合の周波数領域および時間領域位置を決定する技術的解決案を提供し、システム送信帯域幅内のダウンリンク制御チャネルリソースの集合の位置を柔軟に構成して、端末の電力消費を低減し、将来の無線通信システムの干渉を制限するのに役に立つ。
【０３０５】
本発明の好ましい実施形態を説明したが、基礎となる進歩性発明概念を知る当業者は、これらの実施形態に追加の修正および変更を加えることができる。したがって、添付の特許請求の範囲は、好ましい実施形態、および本発明の範囲に入るすべての修正形態および変形形態を包含すると解釈されることを意図している。
【０３０６】
明らかに、当業者は、本発明の精神および範囲から逸脱することなく、本発明に対して様々な修正および変更を行うことができる。したがって、本発明は、修正および変形が本発明に添付された特許請求の範囲およびそれらの等価物の範囲に入る限り、これらの修正および変形を包含することも意図されている。
【符号の説明】
【０３０７】
101  第１の取得モジュール
102  第２の取得モジュール
103  第１の決定モジュール
1100  プロセッサ
1101  メモリ
1102  送受信機
1200  プロセッサ
1201  メモリ
1202  送受信機
【図１】
0006980170.tif 000002
【図２】
0006980170.tif 000003
【図３】
0006980170.tif 000004
【図４】
0006980170.tif 000005
【図５】
0006980170.tif 000006
【図６】
0006980170.tif 000007
【図７】
0006980170.tif 000008
【図８】
0006980170.tif 000009
【図９】
0006980170.tif 000010
【図１０】
0006980170.tif 000011
【図１１】
0006980170.tif 000012
【図１２】
0006980170.tif 000013